(57)【要約】【課題】  実質的にクレジットされている遊技媒体の数（合計クレジット数Ｑ）の最大値を所定の数（限界クレジット数Ｎ）に設定することができ、遊技の効率性による公平性という観点から公平な遊技機等を提供する。【解決手段】  遊技機(10)は、経路中保留数Ｍを計測可能な経路中保留数計測手段(150)と、現在のクレジット数Ｐ及び経路中保留数Ｍの合計を合計クレジット数Ｑとして、算出するための合計クレジット数算出手段(121)と、合計クレジット数Ｑの予め定めた最大限度となる限界クレジット数Ｎを記憶する限界クレジット数記憶手段(122)と、限界クレジット数Ｎから経路中保留数Ｍを減算した数を、クレジット可能な遊技媒体数の最大値である最大クレジット数Ｌとして算出する最大クレジット算出手段等をそなえていることを特徴とする。【選択図】    図１
2005066326.tif 000002
【特許請求の範囲】
【請求項１】
遊技媒体の投入を条件として遊技が開始可能となる遊技機であって、
前記遊技機は、遊技媒体を直接投入して遊技を実行する媒体直接投入モードと、遊技媒体を予め投入して遊技機内部に電子データとして記憶されたクレジット数から所定数の遊技媒体数を減じて遊技開始の条件となる遊技媒体の投入に代えることが可能なクレジット投入モードとの両方を備え、
前記遊技機は、
投入した遊技媒体を貯留するとともに遊技者に向かって払い出し可能な貯留払い出し手段と、
前記貯留払い出し手段から払い出された遊技媒体を貯留するための払い出し皿と、
前記遊技機内部へ自動投入するための遊技媒体を貯留可能な投入皿と、
前記投入皿内部の遊技媒体を遊技機内部に自動的に投入するために前記投入皿から前記遊技機内部へ連通する移送経路と、
前記移送経路を介して前記投入皿内部の遊技媒体を遊技機内部へ移動させるための自動投入手段と、
前記移送経路の内部に保留している遊技媒体の数を経路中保留数Ｍとして計測可能な経路中保留数計測手段と、
現在のクレジット数Ｐ及び前記経路中保留数Ｍを合計した遊技媒体の数を、遊技機全体の内部に保留している合計クレジット数Ｑとして、算出するための合計クレジット数算出手段と、
前記合計クレジット数Ｑの予め定めた最大限度となる限界クレジット数Ｎを記憶する限界クレジット数記憶手段と、
前記限界クレジット数Ｎから前記経路中保留数Ｍを減算した数を、前記クレジット投入モードにおけるクレジット可能な遊技媒体数の最大値である最大クレジット数Ｌとして算出する最大クレジット算出手段と、
現在のクレジット数Ｐからなる前記遊技機内部にクレジットした遊技媒体を、遊技開始の条件となる遊技媒体の投入に代えるためのベットスイッチと、
前記貯留払い出し手段に投入された遊技媒体を、前記最大クレジット数Ｌを限度にクレジット数Ｐとしてカウントするとともに、前記ベットスイッチの操作に基づいて、クレジット数Ｐから所定数の遊技媒体数を減じて、新たなクレジット数Ｐとするためのクレジット数演算手段とを備えていることを特徴とする遊技機。
【請求項２】
前記自動投入手段は、現在の前記クレジット数Ｐが前記最大クレジット数Ｌよりも小さい場合、前記移送経路の内部に保留されている遊技媒体を、前記最大クレジット数Ｌを限度に、クレジット数Ｐに加算用の遊技媒体として遊技機内部に投入することを特徴とする請求項１記載の遊技機。
【請求項３】
前記最大クレジット数Ｌを、１回の遊技開始のために必要な遊技媒体数の最大投入数に設定し、
前記最大投入数を前記自動投入手段による遊技開始用の遊技媒体の自動投入数に設定し、
前記最大投入数を前記自動投入手段によるクレジット数Ｐに加算用の遊技媒体の自動投入数に設定したことを特徴とする請求項２に記載の遊技機。
【請求項４】
前記移送経路と、前記投入皿とは連通し、
前記投入皿と、前記払い出し皿とは連通していることを特徴とする請求項１乃至３のいずれか１項に記載の遊技機。
【請求項５】
前記自動投入手段は、遊技終了後、前記移送経路の遊技媒体を、クレジット数Ｐに加算用の遊技媒体として遊技機内部に投入し、
前記遊技機は、かかる前記自動投入手段による遊技媒体の投入終了後に次の遊技を開始するようにしたことを特徴とする請求項１乃至４のいずれか１項に記載の遊技機。
【請求項６】
前記ベットスイッチは、遊技者の操作によりベット操作信号を出力し、
前記遊技機は、前記ベットスイッチからの前記ベット操作信号の入力を記憶して前記クレジット数演算手段へ出力する操作記憶手段を備え、
前記操作記憶手段は、
遊技期間中は、入力された前記ベット操作信号を、即時に前記クレジット数演算手段へ出力するが、
当該遊技終了後、クレジット数Ｐに加算用の遊技媒体を前記自動投入手段により自動投入している期間中は、前記ベットスイッチからの前記ベット操作信号の入力を記憶し、
かかるクレジット数Ｐへの加算用の自動投入が終了した後、前記ベット操作信号を前記クレジット数演算手段へ出力することにより、前記ベットスイッチの操作を有効化することを特徴とする請求項５に記載の遊技機。
【請求項７】
前記遊技機は、
複数の図柄を変動表示可能な図柄変動表示手段と、
前記図柄変動表示手段の変動を開始させるため、遊技者の操作によりスタート操作信号を出力するスタートスイッチと、
前記スタートスイッチからの前記スタート操作信号の入力を記憶して前記図柄変動表示手段へ出力する操作記憶手段とを備え、
前記操作記憶手段は、
遊技期間中は、入力された前記スタート操作信号を、即時に前記図柄変動表示手段へ出力するが、
当該遊技終了後、クレジット数Ｐに加算用の遊技媒体を前記自動投入手段により自動投入している期間中は、前記スタートスイッチからの前記スタート操作信号の入力を記憶し、
かかるクレジット数Ｐへの加算用の自動投入が終了した後、前記スタート操作信号を前記図柄変動表示手段へ出力することにより、前記スタートスイッチの操作を有効化することを特徴とする請求項５に記載の遊技機。
【請求項８】
前記遊技機は、予め定めた当選率に基づいて当選か否かの当選判定の抽選を行うための当選抽選手段を備え、
前記スタートスイッチは、前記操作記憶手段に前記ベット操作信号が記憶されていることを条件として、遊技者の操作により、当選抽選手段へスタート操作信号を出力し、
前記当選抽選手段は、
抽選用の乱数を所定の領域内で発生させる当選乱数発生手段と、
前記当選乱数発生手段が発生する乱数を、前記スタートスイッチからの前記スタート操作信号の入力を契機として、抽出乱数データとして抽出する当選乱数抽出手段と、
前記当選乱数発生手段がとる乱数の全領域中、各当選項目の当選領域を有する当選判定テーブルと、
前記当選乱数抽出手段が抽出した抽出乱数データと前記当選判定テーブルの当選率データを基に前記当選乱数発生手段がとる乱数の全領域中の各当選項目の当選領域からなる当選判定領域データとを照合し、当該抽出乱数データが属する当選領域に対応する当選を決定するための当選判定手段とを備え、
前記当選乱数抽出手段は、
遊技期間中、抽出した抽出乱数データを、即時に前記当選判定手段へ出力するが、
当該遊技終了後、クレジット数Ｐに加算用の遊技媒体を前記自動投入手段により自動投入している期間中、スタート操作信号の入力を契機に抽出した前記抽出乱数データを、記憶し、
かかるクレジット数Ｐへの加算用の自動投入が終了した後、前記抽出乱数データを前記当選判定手段へ出力し、
前記当選判定手段は、前記当選乱数抽出手段からの前記抽出乱数データが属する当選領域に対応する当選を決定することを特徴とする請求項７に記載の遊技機。
【請求項９】
遊技媒体の投入を条件として遊技が開始可能となる遊技機に対して、遊技媒体を直接投入して遊技を実行する媒体直接投入モードと、遊技媒体を予め投入して遊技機内部に電子データとして記憶されたクレジット数から所定数の遊技媒体数を減じて遊技開始の条件となる遊技媒体の投入に代えることが可能なクレジット投入モードとの両方を実行可能な遊技機用プログラムであって、
前記遊技機を、
投入した遊技媒体を貯留するとともに遊技者に向かって払い出し可能な貯留払い出し手段、
前記貯留払い出し手段から払い出された遊技媒体を貯留するための貯留受け手段、
前記遊技機内部へ自動投入するための遊技媒体を貯留可能な投入受け手段、
前記投入受け手段内部の遊技媒体を遊技機内部に自動的に投入するために前記投入受け手段から前記遊技機内部へ連通する移送経路手段、
前記移送経路手段を介して前記投入受け手段内部の遊技媒体を遊技機内部へ移動させるための自動投入手段、
前記移送経路手段の内部に保留している遊技媒体の数を経路中保留数Ｍとして計測可能な経路中保留数計測手段、
現在のクレジット数Ｐ及び前記経路中保留数Ｍを合計した遊技媒体の数を、遊技機全体の内部に保留している合計クレジット数Ｑとして、算出するための合計クレジット数算出手段、
前記合計クレジット数Ｑの予め定めた最大限度となる限界クレジット数Ｎを記憶する限界クレジット数記憶手段、
前記限界クレジット数Ｎから前記経路中保留数Ｍを減算した数を、前記クレジット投入モードにおけるクレジット可能な遊技媒体数の最大値である最大クレジット数Ｌとして算出する最大クレジット算出手段、
現在のクレジット数Ｐからなる前記遊技機内部にクレジットした遊技媒体を遊技開始の条件となる遊技媒体の投入に代えるためのベット手段、
前記貯留払い出し手段に投入された遊技媒体を前記最大クレジット数Ｌを限度にクレジット数Ｐとしてカウントするとともに、前記ベット手段の操作に基づいて、クレジット数Ｐから所定数の遊技媒体数を減じて、新たなクレジット数Ｐとするためのクレジット数演算手段として機能させるための遊技機用プログラム。
【請求項１０】
遊技媒体の投入を条件として遊技が開始可能となる遊技機に対して、遊技媒体を直接投入して遊技を実行する媒体直接投入モードと、遊技媒体を予め投入して遊技機内部に電子データとして記憶されたクレジット数から所定数の遊技媒体数を減じて遊技開始の条件となる遊技媒体の投入に代えることが可能なクレジット投入モードとの両方を実行可能な遊技機用プログラムを記録したコンピュータ読み取り可能な記録媒体であって、
前記遊技機を、
投入した遊技媒体を貯留するとともに遊技者に向かって払い出し可能な貯留払い出し手段、
前記貯留払い出し手段から払い出された遊技媒体を貯留するための貯留受け手段、
前記遊技機内部へ自動投入するための遊技媒体を貯留可能な投入受け手段、
前記投入受け手段内部の遊技媒体を遊技機内部に自動的に投入するために前記投入受け手段から前記遊技機内部へ連通する移送経路手段、
前記移送経路手段を介して前記投入受け手段内部の遊技媒体を遊技機内部へ移動させるための自動投入手段、
前記移送経路手段の内部に保留している遊技媒体の数を経路中保留数Ｍとして計測可能な経路中保留数計測手段、
現在のクレジット数Ｐ及び前記経路中保留数Ｍを合計した遊技媒体の数を、遊技機全体の内部に保留している合計クレジット数Ｑとして、算出するための合計クレジット数算出手段、
前記合計クレジット数Ｑの予め定めた最大限度となる限界クレジット数Ｎを記憶する限界クレジット数記憶手段、
前記限界クレジット数Ｎから前記経路中保留数Ｍを減算した数を、前記クレジット投入モードにおけるクレジット可能な遊技媒体数の最大値である最大クレジット数Ｌとして算出する最大クレジット算出手段、
現在のクレジット数Ｐからなる前記遊技機内部にクレジットした遊技媒体を遊技開始の条件となる遊技媒体の投入に代えるためのベット手段、
前記貯留払い出し手段に投入された遊技媒体を前記最大クレジット数Ｌを限度にクレジット数Ｐとしてカウントするとともに、前記ベット手段の操作に基づいて、クレジット数Ｐから所定数の遊技媒体数を減じて、新たなクレジット数Ｐとするためのクレジット数演算手段として機能させるための遊技機用プログラムを記録したコンピュータ読み取り可能な記録媒体。
【発明の詳細な説明】
【技術分野】
【０００１】
この発明は、自動投入のための移送経路途中の遊技媒体も実質的にクレジット数として認識可能な遊技機に関するものである。
また、この発明は、遊技機用プログラム、及び遊技機用プログラムを記録したコンピュータ読み取り可能な記録媒体に関し、さらに詳しくは、経路中保留数計測手段等として機能させる遊技機用プログラム、及び遊技機用プログラムを記録したコンピュータ読み取り可能な記録媒体に関するものである。
【背景技術】
【０００２】
従来、この種の遊技機としては、スロットマシンがある。このスロットマシンは、遊技媒体である遊技メダルをメダル投入口からスロットマシン内部に投入し、スタートスイッチを操作することにより複数列（例えば３列）に並んだ回転リールが回転し、ストップスイッチを押すことで、その回転リールの回転を停止させることができる遊技機である。そして、このスロットマシンは、所定の確率で内部抽選に当選し、回転リールの周囲の図柄を所定の図柄配置にすることができて入賞した場合には、内部の払い出し装置により払い出しメダル皿へ所定枚数の遊技メダルが払い出されるように形成されている。
また、従来の技術として、ベットスイッチを操作しなくても、スタートスイッチの操作だけで、クレジットされた遊技メダルを減じて、自動的に一定枚数のメダル投入に代えることができるような遊技機が知られている（例えば、特許文献１参照。）。
【０００３】
また、従来の技術として、クレジットメダルの投入スイッチ、いわゆるベットスイッチの操作により、回転リールの回転の開始ができるようにした遊技機が知られている（例えば、特許文献２参照。）。
そして、従来の技術において、クレジットメダル数の最大値（いわゆる最大クレジット数）は、所定枚数、例えば５０枚に設定されている（例えば、特許文献２、段落番号００１８参照。）。
さらに、近年では、メダル投入口に整列された遊技メダルを１枚、１枚、手で投入しなくても、遊技メダルを投入メダル皿へまとめて投入することにより、自動的に整列した状態で投入した状態となる自動投入装置が開発されている（具体的には、例えば、特願２００３−１１６９０９号、図１１参照。）。
【０００４】
かかる自動投入装置においては、遊技機の下部の投入メダル皿から上昇装置により、遊技メダルを上方へ移送し、上昇メダル排出口から投入移送手段を経て、メダル投入口へ、投入されるものである。
一方、遊技媒体として全体形状が球状の遊技球であるパチンコ玉を用い、スロットマシンと同様の遊技を行うことができる、いわゆるパロット遊技機が知られている。このパロット遊技機は、上皿に媒体排出口及び媒体投入口があり、払い出された遊技球や、媒体貸し出し機から貸し出された遊技球を、所定のスイッチ操作により投入し、スタートスイッチ及びストップスイッチの操作により回転リールを回転及び停止させ、所定の図柄を揃えることにより上皿に遊技球が払い出される。そして、上皿に遊技球が一杯になった場合には、下皿に移して貯留できるようになっているものである。
【特許文献１】特開２００１−２４６０４５号公報
【特許文献２】特開平６−１２６０２２号公報
【発明の開示】
【発明が解決しようとする課題】
【０００５】
上記した従来の遊技機では、クレジットメダル数の最大値である最大クレジット数は、所定枚数、例えば５０枚に設定されている。この最大クレジット数は、通常、予め定めた所定の数値（５０枚）に常に一定に固定されているものである。
一般的に、ベットスイッチを使用したクレジット投入モードで遊技を行う場合、最大クレジット数が大きくなる程、一度にまとめて、遊技メダルを投入することができて、遊技メダル投入の利便性が向上し、遊技の効率を上昇させることができる。したがって、クレジット投入モードを使用する遊技者にとって、最大クレジット数が大きくなる程、有利となる。このため、かかる遊技者は、最大クレジット数が大きい数値となることを希望する。しかし、最大クレジット数は、遊技者間の公平を図るべく、また、極端に大きな最大クレジット数を設定して、いたずらに射幸心を煽ることのないように、全ての遊技機において、所定の数値、具体的には、５０枚に設定されているものである。
【０００６】
しかし、上述したような自動投入装置を備えているものは、自動投入装置における経路の途中に複数の遊技メダルが貯留されることとなる。かかる自動投入装置の経路の途中に留まっている遊技メダルは、払い出し皿内部の遊技メダルとは異なり、自由に取り出すことができるものではなく、最終的には、メダル投入口へ投入される性質のものであり、遊技機内部に実質的に取り込まれてクレジットされた遊技メダルと同様の性質を有するものである。このような自動投入装置の経路途中の遊技メダルが、クレジット数として換算されずに貯留されている状態は、上述したような最大クレジット数を設定している趣旨から鑑みると好ましいものではない。例えば、自動投入装置の経路の途中に１枚も留まっていない遊技機は、最大クレジット数は、５０枚となる。しかし、自動投入装置の経路の途中に１０枚の遊技メダルが留まっている遊技機は、その実質的な最大クレジット数は、５０＋１０＝６０枚となる。このように、自動投入装置の経路の途中に留まっている遊技メダルの枚数によって、実質的な最大クレジット数が変化することとなり、遊技者間の遊技の効率性からの公平性という観点から不公平なものとなるといった問題点があった。
【０００７】
この問題は、パチンコ球等の遊技球を用いてスロットマシンと同様の遊技を行わせる、いわゆるパロット遊技機においてもあてはまる。
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する問題点に鑑みてなされたものであり、その目的とするところは、実質的にクレジットされている遊技媒体の数（合計クレジット数Ｑ）の最大値を所定の数（限界クレジット数Ｎ）に設定することができ、遊技の効率性による公平性という観点から公平な遊技機を提供しようとするものである。
【０００８】
（請求項２）
請求項２記載の発明は、上記した請求項１記載の発明の目的に加え、次の点を目的とする。
すなわち、請求項２記載の発明は、現在のクレジット数Ｐを絶えず補充することができ、クレジット数Ｐの減少を抑えることができて、クレジットへの補充作業を回避することができるようにした遊技機を提供しようとするものである。
（請求項３）
請求項３記載の発明は、上記した請求項２に記載の発明の目的に加え、次の点を目的とする。
【０００９】
すなわち、請求項３記載の発明は、クレジット数Ｐへの遊技媒体の補填を、自動投入手段により簡単に行うことができ、遊技媒体の投入操作を簡単にして、遊技を簡単に進めることができるようにした遊技機を提供しようとするものである。
（請求項４）
請求項４記載の発明は、上記した請求項１乃至３のいずれか１項に記載の発明の目的に加え、次の点を目的とする。
すなわち、請求項４記載の発明は、払い出し皿へ払い出された遊技媒体を、投入皿を介して、移送経路へ簡単に移動させることができるようにした遊技機を提供しようとするものである。
【００１０】
（請求項５）
請求項５記載の発明は、上記した請求項１乃至４のいずれか１項に記載の発明の目的に加え、次の点を目的とする。
すなわち、請求項５記載の発明は、自動投入手段から遊技機内部へ投入される遊技媒体の内容を区別することができるようにした遊技機を提供しようとするものである。
（請求項６）
請求項６記載の発明は、上記した請求項５に記載の発明の目的に加え、次の点を目的とする。
【００１１】
すなわち、請求項６記載の発明は、遊技者が誤って、遊技と遊技との間の自動投入処理期間中にベットスイッチを操作しても、当該期間終了後に、再度、当該操作を繰り返し行う必要がなく、遊技の操作を簡単なものにすることができるようにした遊技機を提供しようとするものである。
（請求項７）
請求項７記載の発明は、上記した請求項５に記載の発明の目的に加え、次の点を目的とする。
すなわち、請求項７記載の発明は、遊技者が誤って、遊技と遊技との間の自動投入処理期間中にスタートスイッチを操作しても、当該期間終了後に、再度、当該操作を繰り返し行う必要がなく、遊技の操作を簡単なものにすることができるようにした遊技機を提供しようとするものである。
【００１２】
（請求項８）
請求項８記載の発明は、上記した請求項７に記載の発明の目的に加え、次の点を目的とする。
すなわち、請求項８記載の発明は、乱数を抽出するタイミングを、遊技者の人為的な動作に依存させることができて、乱数抽出のタイミングを不規則なものにすることができ、乱数抽出のタイミングに規則性の混入を回避可能な遊技機を提供しようとするものである。
（請求項９）
請求項９記載の発明は、次の点を目的とする。
【００１３】
すなわち、請求項９記載の発明は、実質的にクレジットされている遊技媒体の数（合計クレジット数Ｑ）の最大値を所定の数（限界クレジット数Ｎ）に設定することができ、遊技の効率性による公平性という観点から公平な遊技機用プログラムを提供しようとするものである。
（請求項１０）
請求項１０記載の発明は、次の点を目的とする。
すなわち、請求項１０記載の発明は、実質的にクレジットされている遊技媒体の数（合計クレジット数Ｑ）の最大値を所定の数（限界クレジット数Ｎ）に設定することができ、遊技の効率性による公平性という観点から公平な遊技機用プログラムを記録したコンピュータ読み取り可能な記録媒体を提供しようとするものである。
【課題を解決するための手段】
【００１４】
（特徴点）
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００１５】
すなわち、遊技媒体の投入を条件として遊技が開始可能となる遊技機(10)であって、前記遊技機(10)は、遊技媒体を直接投入して遊技を実行する媒体直接投入モードと、遊技媒体を予め投入して遊技機(10)内部に電子データとして記憶されたクレジット数(Ｐ)から所定数の遊技媒体数を減じて遊技開始の条件となる遊技媒体の投入に代えることが可能なクレジット投入モードとの両方を備え、前記遊技機(10)は、投入した遊技媒体を貯留するとともに遊技者に向かって払い出し可能な貯留払い出し手段(65)と、前記貯留払い出し手段(65)から払い出された遊技媒体を貯留するための払い出し皿(143)と、前記遊技機(10)内部へ自動投入するための遊技媒体を貯留可能な投入皿(231)と、前記投入皿(231)内部の遊技媒体を遊技機(10)内部に自動的に投入するために前記投入皿(231)から前記遊技機(10)内部へ連通する移送経路(130)と、前記移送経路(130)を介して前記投入皿(231)内部の遊技媒体を遊技機(10)内部へ移動させるための自動投入手段(140)と、前記移送経路(130)の内部に保留している遊技媒体の数を経路中保留数Ｍとして計測可能な経路中保留数計測手段(150)と、現在のクレジット数Ｐ及び前記経路中保留数Ｍを合計した遊技媒体の数を、遊技機(10)全体の内部に保留している合計クレジット数Ｑとして、算出するための合計クレジット数算出手段(121)と、前記合計クレジット数Ｑの予め定めた最大限度となる限界クレジット数Ｎを記憶する限界クレジット数記憶手段(122)と、前記限界クレジット数Ｎから前記経路中保留数Ｍを減算した数を、前記クレジット投入モードにおけるクレジット可能な遊技媒体数の最大値である最大クレジット数Ｌとして算出する最大クレジット算出手段と、現在のクレジット数Ｐからなる前記遊技機(10)内部にクレジットした遊技媒体を、遊技開始の条件となる遊技媒体の投入に代えるためのベットスイッチ(16)と、前記貯留払い出し手段(65)に投入された遊技媒体を、前記最大クレジット数Ｌを限度にクレジット数Ｐとしてカウントするとともに、前記ベットスイッチ(16)の操作に基づいて、クレジット数Ｐから所定数の遊技媒体数を減じて、新たなクレジット数Ｐとするためのクレジット数演算手段(120)とを備えていることを特徴とする。
【００１６】
なお、ここで、「遊技媒体」とあるが、具体的には、例えば、円板状の遊技メダルのようなものが含まれる。もちろん、かかる形状の遊技メダルに限定されるものではなく、通常のコイン（硬貨）でもよく、また、いわゆるパロットで使用されるような球状の遊技球や、ボール球でもよく、また、スティック状のものでもよいものである。更に、遊技機の遊技開始の条件とすることができるような媒体であれば良いものであって、特に形状は限定されるものではない。
また、ここで、「媒体直接投入モード」とは、具体的には、例えば、遊技者が直接、遊技メダルを手で持って、かかる遊技メダルをメダル投入口(18)から直接、投入することができて、かかる直接投入された遊技メダルが、遊技開始の条件となる投入メダルとして換算されるような遊技状態である。
【００１７】
また、ここで、「クレジット投入モード」とは、具体的には、例えば、遊技者が予め複数枚の遊技メダルをメダル投入口(18)へ投入して、或いは、遊技の入賞の払い出しの賞金として、払い出された遊技メダルをクレジットし、かかるクレジットした遊技メダルのうちから、ベットスイッチ(16)の操作により、遊技開始のための遊技メダルの投入に代えるようなことができる遊技状態である。
また、ここで、「貯留払い出し手段(65)」とは、いわゆるホッパーユニットのようなものを意味するものであって、上方に向かって開口して遊技メダルを貯留可能なホッパーと、かかるホッパーの下に位置して、ホッパーに貯留した遊技メダルを１枚ずつ、メダル皿へ払い出すことができるような回転円板とを有するようなものを意味する。
【００１８】
（作用）
本発明は、最大クレジット数算出手段(123)が、限界クレジット数Ｎから経路中保留数Ｍを減算した数を、クレジット可能な遊技媒体数の最大値である最大クレジット数Ｌとして算出している。すなわち、式で表すとＬ＝Ｎ−Ｍとなる。したがって、Ｌ＋Ｍ＝Ｎとなり、最大クレジット数Ｌと経路中保留数Ｍとを合計した数は、限界クレジット数Ｎとなる。そして、クレジット数演算手段(120)が、貯留払い出し手段(65)に投入された遊技媒体を最大クレジット数Ｌを限度にクレジット数としてカウントしている。したがって、現在のクレジット数Ｐは、最大クレジット数Ｌを超えることはない。すなわち、Ｐ＜Ｌ又はＰ＝Ｌとなる。ここで、現在のクレジット数Ｐと経路中保留数Ｍとを合計した遊技媒体の数を、合計クレジット数Ｑと定義している。すなわち、Ｐ＋Ｍ＝Ｑであり、この合計クレジット数Ｑは、遊技機全体の内部に、実質的に保留（クレジット）されている遊技媒体の数としての意味を有することになる。
【００１９】
上述した関係から、Ｐ＜Ｌ又はＰ＝Ｌの式の両辺にＭを加えると、Ｐ＋Ｍ＜Ｌ＋Ｍ又はＰ＋Ｍ＝Ｌ＋Ｍとなる。この式に上述したＬ＋Ｍ＝ＮとＰ＋Ｍ＝Ｑとを代入して、Ｎ及びＱで示すと、Ｑ＜Ｎ又はＱ＝Ｎとなるものである。したがって、合計クレジット数Ｑは、限界クレジット数Ｎを超えることはなく、合計クレジット数Ｑは限界クレジット数Ｎ以下の数値となることになる。すなわち、経路中保留数Ｍが異なる数値であっても、遊技機全体の内部に実質的に保留（クレジット）されている遊技媒体の数（合計クレジット数Ｑ）は、常に、予め定めた限界クレジット数Ｎ以下の数値にすることができる。このように、経路中保留数Ｍが異なる遊技機であっても、また、経路中保留数Ｍが変動するような遊技機であっても、実質的にクレジットされている遊技媒体の数である合計クレジット数Ｑを常に限界クレジット数Ｎ以下に設定することができる。これにより、実質的にクレジットされている遊技媒体の数（合計クレジット数Ｑ）の最大値を所定の数（限界クレジット数Ｎ）に設定することができ、遊技者間における遊技の効率性による公平性という観点から公平な遊技機を提供することができる。
【００２０】
（請求項２）
請求項２記載の発明は、上記した請求項１記載の発明の特徴点に加え、次の点を特徴とする。
すなわち、前記自動投入手段(140)は、現在の前記クレジット数Ｐが前記最大クレジット数Ｌよりも小さい場合、前記移送経路(130)の内部に保留されている遊技媒体を、前記最大クレジット数Ｌを限度に、クレジット数Ｐに加算用の遊技媒体として遊技機(10)内部に投入することを特徴とする。
なお、ここで、「最大クレジット数Ｌを限度に」とは、最大でも、最大クレジット数Ｌの範囲内で、移送経路(130)の内部に保留されている遊技媒体を、クレジット数Ｐに加算用の遊技媒体として遊技機内部に投入することを意味する。したがって、必ずしも最大クレジット数Ｌまで遊技媒体を投入することに限定するものではなく、最大クレジット数Ｌの範囲内であれば良いものである。
【００２１】
（作用）
本発明は、現在のクレジット数Ｐが最大クレジット数Ｌよりも小さい場合、移送経路(130)内部に保留されている遊技媒体をクレジット数Ｐに加算用の遊技媒体として投入する。このため、現在のクレジット数Ｐを絶えず補充することができ、クレジット数Ｐの減少を抑えることができる。これにより、クレジット数Ｐへの補充のために遊技の途中で、クレジット数Ｐへの補充作業を介入させる必要がなく、遊技の流れを中断させるようなことを回避することができる。
（請求項３）
請求項３記載の発明は、上記した請求項２に記載の発明の特徴点に加え、次の点を特徴とする。
【００２２】
すなわち、前記最大クレジット数Ｌを、１回の遊技開始のために必要な遊技媒体数の最大投入数に設定し、前記最大投入数を前記自動投入手段(140)による遊技開始用の遊技媒体の自動投入数に設定し、前記最大投入数を前記自動投入手段(140)によるクレジット数Ｐに加算用の遊技媒体の自動投入数に設定したことを特徴とする。
なお、ここで、「１回の遊技開始のために必要な遊技媒体数の最大投入数」とは、遊技開始の条件として遊技機内部に投入する必要がある遊技媒体数が、予め複数、設定され、それらのうちから遊技者が所定の遊技媒体数を選択可能に設定されているような場合の遊技媒体数の最大値を意味するものである。具体的には、遊技媒体としての遊技メダルを、遊技開始の条件として、１枚、２枚又は３枚投入が設定されているような場合、最大投入数は、投入メダルの最大枚数である３枚を意味する。
【００２３】
そして、本発明は、具体的には、例えば、最大クレジット数Ｌを３枚に設定するようなものを含む。
（作用）
本発明は、遊技者が、最大投入枚数の遊技媒体により連続して遊技を行うような場合に便利なものである。クレジット数Ｐとして、最大クレジット数Ｌと同数の遊技媒体がクレジットされている。このとき、クレジット数ＰはＬに等しい数である。そして、遊技者がベットスイッチ(16)を使用して、最大投入枚数の遊技媒体をＬ個、遊技開始のための遊技メダルとして遊技機内部に投入する。このとき、クレジット数Ｐは０となる。そして、自動投入手段(140)が、移送経路(130)の内部からＬ個の遊技媒体を、クレジット数Ｐに加算用の遊技媒体として、クレジットに投入する。このとき、クレジット数ＰはＬ個となる。そして、遊技者が、次の遊技で、再度、ベットスイッチ(16)を操作して、クレジットされた遊技媒体から最大投入枚数のＬ個の遊技媒体を、遊技開始用の遊技媒体として、遊技機内部に投入する。このとき、クレジット数Ｐは０となる。以後、この動作を、繰り返すことができるものである。すなわち、クレジットされたＬ個の遊技媒体をベットスイッチ(16)を用いて投入メダルとして使用すると、自動投入手段(140)から、それと同数のＬ個の遊技媒体が、毎回、クレジットメダルとしてクレジットへ補充される。これにより、遊技者は、クレジット数Ｐへの遊技媒体の補填を、自動投入手段(140)により簡単に行うことができ、遊技者による遊技媒体の投入操作を簡単なものにすることができる。また、遊技者が、かかる最大投入数で連続して遊技を行いたい場合、投入数を遊技者自ら何らかの操作を行って特に選択する必要がなく、遊技を簡単に進めることができる。
【００２４】
（請求項４）
請求項４記載の発明は、上記した請求項１乃至３のいずれか１項に記載の発明の特徴点に加え、次の点を特徴とする。
すなわち、前記移送経路(130)と、前記投入皿(231)とは連通し、前記投入皿(231)と、前記払い出し皿(143)とは連通していることを特徴とする。
なお、ここで、「連通し」とは、連続的に接続されている状態を意味するものであって、遊技メダル等の遊技媒体が、連続的に移動可能な状態となっているものを意味する。
（作用）
本発明は、移送経路(130)と、投入皿(231)とが連通し、この投入皿(231)と、払い出し皿(143)とが連通している。このため、結果として、投入皿(231)を介して、移送経路(130)と、払い出し皿(143)とが実質的に連通していることとなる。したがって、払い出し皿(143)へ払い出された遊技媒体を、投入皿(231)を介して、移送経路(130)へ簡単に移動させることができる。
【００２５】
（請求項５）
請求項５記載の発明は、上記した請求項１乃至４のいずれか１項に記載の発明の特徴点に加え、次の点を特徴とする。
すなわち、前記自動投入手段(140)は、遊技終了後、前記移送経路(130)の遊技媒体を、クレジット数Ｐに加算用の遊技媒体として遊技機(10)内部に投入し、前記遊技機(10)は、かかる前記自動投入手段(140)による遊技媒体の投入終了後に次の遊技を開始するようにしたことを特徴とする。
なお、ここで、「遊技終了」とは、遊技メダルの払い出しを有する当選役に入賞していない場合は、全ての回転リール(40)が停止した時点で遊技終了となり、いずれかの払い出しを有する当選役に入賞している場合は、かかる入賞による遊技メダルの払い出しが終了した時点で、当該遊技は終了となるものである。また、ここで、「次の遊技を開始」とは、遊技者が遊技開始の条件としての遊技メダルをメダル投入口(18)から現実に投入した場合や、或いはベットスイッチ(16)を操作して、クレジットメダルを投入メダルに代えた場合に、当該次の遊技が開始するものである。
【００２６】
また、ここで、「前記自動投入手段(140)による遊技媒体の投入終了後に次の遊技を開始するようにした」とは、具体的には、例えば、自動投入手段(140)により、クレジット数Ｐに加算用の遊技媒体の投入終了後に、遊技開始用の条件としての遊技メダルの投入が可能となるものを含む。
（作用）
本発明は、遊技と、次の遊技との間に、自動投入手段(140)が、移送経路(130)の遊技媒体を、クレジット数Ｐに加算用の遊技媒体として遊技機(10)内部に投入している。これにより、自動投入手段(140)から遊技機(10)内部へ投入される遊技媒体が、クレジット数Ｐに加算用の遊技媒体なのか、或いは、遊技開始の条件として必要な遊技媒体なのか、明瞭に区別することができる。
【００２７】
すなわち、遊技終了から次の遊技開始までの間に、自動投入手段(140)から投入される遊技媒体は、クレジット数Ｐに加算用の遊技媒体として認識される。そして、かかる遊技媒体の投入終了後、次の遊技が開始されて自動投入手段(140)から投入される遊技媒体は、遊技開始の条件として必要な遊技媒体として認識される。このように、自動投入手段(140)から投入される遊技媒体の内容を区別することができる。
（請求項６）
請求項６記載の発明は、上記した請求項５に記載の発明の特徴点に加え、次の点を特徴とする。
【００２８】
すなわち、前記ベットスイッチ(16)は、遊技者の操作によりベット操作信号を出力し、前記遊技機(10)は、前記ベットスイッチ(16)からの前記ベット操作信号の入力を記憶して前記クレジット数演算手段(120)へ出力する操作記憶手段(160)を備え、前記操作記憶手段(160)は、遊技期間中は、入力された前記ベット操作信号を、即時に前記クレジット数演算手段(120)へ出力するが、当該遊技終了後、クレジット数Ｐに加算用の遊技媒体を前記自動投入手段(140)により自動投入している期間中は、前記ベットスイッチ(16)からの前記ベット操作信号の入力を記憶し、かかるクレジット数Ｐへの加算用の自動投入が終了した後、前記ベット操作信号を前記クレジット数演算手段(120)へ出力することにより、前記ベットスイッチ(16)の操作を有効化することを特徴とする。
【００２９】
なお、ここで、「前記操作記憶手段(160)は、遊技期間中は、入力〜を有効化する」とは、以下に示す（１）〜（３）を合わせたものである。
（１）前記操作記憶手段(160)は、遊技期間中、入力された前記ベット操作信号を、即時に前記クレジット数演算手段(120)へ出力する。
（２）前記操作記憶手段(160)は、当該遊技終了後、クレジット数Ｐに加算用の遊技媒体を前記自動投入手段(140)により自動投入している期間中、前記ベットスイッチ(16)からの前記ベット操作信号の入力を記憶する。
（３）前記操作記憶手段(160)は、かかるクレジット数Ｐへの加算用の自動投入が終了した後、前記ベット操作信号を前記クレジット数演算手段(120)へ出力することにより、前記ベットスイッチ(16)の操作を有効化する。
【００３０】
また、ここで、「操作記憶手段(160)」は、当該遊技と、当該遊技が終了して次の遊技が開始するまでの間、すなわち、自動投入手段(140)によりクレジット数Ｐに加算するための遊技媒体が投入されている間に、ベットスイッチ(16)が操作された場合のベット操作信号を、一時的に保存する、いわゆるバッファーとしての役割を担うものである。そして、かかる自動投入手段(140)によるクレジット数Ｐに加算するための遊技媒体の投入が終了した後、次の遊技が開始可能となった状態において、操作記憶手段(160)は、ベット操作信号を遊技制御手段(23)等へ出力して、ベットスイッチ(16)の操作を有効化するものである。
【００３１】
また、ここで、「ベットスイッチ(16)の操作を有効化する」とは、ベットスイッチ(16)からのベット操作信号が、クレジット数演算手段(120)へ出力されて、ベットスイッチ(16)が有する機能、すなわち、クレジットした遊技媒体を、遊技開始の条件となる遊技媒体の投入に代えるという機能を発揮させることを意味する。なお、操作記憶手段(160)にベットスイッチ(16)からのベット操作信号が記憶保持されている状態だけでは、クレジット数演算手段(120)の演算処理は、開始されてなく、ベットスイッチ(16)の機能が発揮されておらず、ベットスイッチ(16)の操作が有効な状態になっていないものである。
（作用）
本発明は、遊技と遊技との間の自動投入処理期間中のベットスイッチ(16)の操作が、かかる期間終了後に、有効となる。すなわち、クレジット数Ｐに加算用の遊技媒体を自動投入している期間中に行った、遊技者のベットスイッチ(16)の操作は、かかる期間終了後に、有効となる。このため、かかる期間中の遊技者によるベットスイッチ(16)の操作が、無視されることなく、無駄にならない。これにより、遊技者が誤って、かかる期間中に操作しても、当該期間終了後に、再度、当該操作を繰り返し行う必要がなく、遊技の操作を簡単なものにすることができる。
【００３２】
（請求項７）
請求項７記載の発明は、上記した請求項５に記載の発明の特徴点に加え、次の点を特徴とする。
すなわち、前記遊技機(10)は、複数の図柄(61)を変動表示可能な図柄変動表示手段(41)と、前記図柄変動表示手段(41)の変動を開始させるため、遊技者の操作によりスタート操作信号を出力するスタートスイッチ(30)と、前記スタートスイッチ(30)からの前記スタート操作信号の入力を記憶して前記図柄変動表示手段(41)へ出力する操作記憶手段(160)とを備え、前記操作記憶手段(160)は、遊技期間中は、入力された前記スタート操作信号を、即時に前記図柄変動表示手段(41)へ出力するが、当該遊技終了後、クレジット数Ｐに加算用の遊技媒体を前記自動投入手段(140)により自動投入している期間中は、前記スタートスイッチ(30)からの前記スタート操作信号の入力を記憶し、かかるクレジット数Ｐへの加算用の自動投入が終了した後、前記スタート操作信号を前記図柄変動表示手段(41)へ出力することにより、前記スタートスイッチ(30)の操作を有効化することを特徴とする。
【００３３】
なお、ここで、「前記操作記憶手段(160)は、遊技期間中は、入力された〜前記スタートスイッチ(30)の操作を有効化する」とは、以下の（１）〜（３）を合わせたものである。
（１）前記操作記憶手段(160)は、遊技期間中、入力された前記スタート操作信号を、即時に前記図柄変動表示手段(41)へ出力する。
（２）前記操作記憶手段(160)は、当該遊技終了後、クレジット数Ｐに加算用の遊技媒体を前記自動投入手段(140)により自動投入している期間中、前記スタートスイッチ(30)からの前記スタート操作信号の入力を記憶する。
【００３４】
（３）前記操作記憶手段(160)は、かかるクレジット数Ｐへの加算用の自動投入が終了した後、前記スタート操作信号を前記図柄変動表示手段(41)へ出力することにより、前記スタートスイッチ(30)の操作を有効化する。
また、ここで、「操作記憶手段(160)」は、当該遊技と、当該遊技が終了して次の遊技が開始するまでの間、すなわち、自動投入手段(140)によりクレジット数Ｐに加算するための遊技媒体が投入されている間に、スタートスイッチ(30)が操作された場合のスタート操作信号を、一時的に保存する、いわゆるバッファーとしての役割を担うものである。そして、かかる自動投入手段(140)によるクレジット数Ｐに加算するための遊技媒体の投入が終了した後、次の遊技が開始可能となった状態において、操作記憶手段(160)は、スタート操作信号を遊技制御手段(23)や、図柄変動表示手段(41)へ出力して、スタートスイッチ(30)の操作を有効化するものである。
【００３５】
また、ここで、「スタートスイッチ(30)の操作を有効化する」とは、スタートスイッチ(30)からのスタート操作信号が、図柄変動表示手段(41)へ出力されて、スタートスイッチ(30)が有する図柄変動表示手段(41)の変動を開始させるという機能を発揮させることを意味する。なお、操作記憶手段(160)にスタートスイッチ(30)からのスタート操作信号が記憶保持されている状態だけでは、図柄変動表示手段(41)の変動は開始されておらず、スタートスイッチ(30)の機能が発揮されてなく、スタートスイッチ(30)の操作が有効な状態になっていないものである。
（作用）
本発明は、遊技と遊技との間の自動投入処理期間中のスタートスイッチ(30)の操作が、かかる期間終了後に、有効となる。すなわち、クレジット数Ｐに加算用の遊技媒体の自動投入している期間中、遊技者のベットスイッチ(16)の操作は、かかる期間終了後に、有効となる。このため、当該期間中の遊技者のスタートスイッチ(30)の操作が、無視されることなく、無駄にならない。これにより、遊技者が誤って、かかる期間中に操作しても、当該期間終了後に、再度、当該操作を繰り返し行う必要がなく、遊技の操作を簡単なものにすることができる。
【００３６】
（請求項８）
請求項８記載の発明は、上記した請求項７に記載の発明の特徴点に加え、次の点を特徴とする。
すなわち、前記遊技機(10)は、予め定めた当選率に基づいて当選か否かの当選判定の抽選を行うための当選抽選手段(110)を備え、前記スタートスイッチ(30)は、前記操作記憶手段(160)に前記ベット操作信号が記憶されていることを条件として、遊技者の操作により、当選抽選手段(110)へスタート操作信号を出力し、前記当選抽選手段(110)は、抽選用の乱数を所定の領域内で発生させる当選乱数発生手段(111)と、前記当選乱数発生手段(111)が発生する乱数を、前記スタートスイッチ(30)からの前記スタート操作信号の入力を契機として、抽出乱数データとして抽出する当選乱数抽出手段(112)と、前記当選乱数発生手段(111)がとる乱数の全領域中、各当選項目の当選領域を有する当選判定テーブル(113)と、前記当選乱数抽出手段(112)が抽出した抽出乱数データと前記当選判定テーブル(113)の当選率データを基に前記当選乱数発生手段(111)がとる乱数の全領域中の各当選項目の当選領域からなる当選判定領域データとを照合し、当該抽出乱数データが属する当選領域に対応する当選を決定するための当選判定手段(114)とを備え、前記当選乱数抽出手段(112)は、遊技期間中、抽出した抽出乱数データを、即時に前記当選判定手段(114)へ出力するが、当該遊技終了後、クレジット数Ｐに加算用の遊技媒体を前記自動投入手段(140)により自動投入している期間中、スタート操作信号の入力を契機に抽出した前記抽出乱数データを、記憶し、かかるクレジット数Ｐへの加算用の自動投入が終了した後、前記抽出乱数データを前記当選判定手段(114)へ出力し、前記当選判定手段(114)は、前記当選乱数抽出手段(112)からの前記抽出乱数データが属する当選領域に対応する当選を決定することを特徴とする。
【００３７】
なお、ここで、「前記スタートスイッチ(30)からの前記スタート操作信号の入力を契機として、抽出乱数データとして抽出する」とあり、また、「スタート操作信号の入力を契機に抽出する」とあるが、これらには、スタートスイッチ(30)からのスタート操作信号の入力タイミングを、直接的に利用して、乱数を抽出するようなものが含まれるが、さらに加えて、スタートスイッチ(30)からのスタート操作信号の入力タイミングを、間接的に利用して、乱数を抽出するようなものも含まれるものである。
上述したスタートスイッチ(30)からのスタート操作信号の入力タイミングを直接的に利用するとは、スタート操作信号の入力タイミングと同時に、所定範囲内の数値を繰り返し発生するような当選乱数発生手段(111)から、直接、乱数を採取するようなものを含む。
【００３８】
また、上述したスタートスイッチ(30)からのスタート操作信号の入力タイミングを、間接的に利用して、乱数を抽出するとは、スタート操作信号の入力タイミングによって、回転リール(40)を回転し、この回転する回転リール(40)からの、いわゆるインデックス信号の発生に基づいて、当選乱数発生手段(111)から、乱数を採取するようなものを含む。すなわち、スタートスイッチ(30)からのスタート操作信号の入力を契機として、回転リール(40)が回転し、これにともなうインデックス信号の発生タイミングを契機として、当選乱数発生手段(111)から、乱数を採取するものである。
具体的に説明すると、回転リール(40)の一部から外方に向かって突出する、いわゆるスタートインデックスを設ける。このスタートインデックスは、回転リール(40)の回転にともなって回転移動するものである。そして、このスタートインデックスの動線を跨ぐような位置にＬＥＤと、フォトトランジスタとからなる光センサーを配置し、スタートインデックスの移動によりＬＥＤの光を遮断し、スタートインデックスの移動を検知することができるものである。そして、上述したスタートスイッチ(30)からのスタート操作信号の入力によって、回転リール(40)が回転を開始し、かかるスタートインデックスの移動を検知したタイミングを契機として、当選乱数発生手段(111)から乱数を採取するようなものを含む。
【００３９】
（作用）
クレジット数Ｐに加算用の遊技媒体を自動投入手段(140)により自動投入している期間中であっても、当選乱数抽出手段(112)は、当選乱数発生手段(111)が発生する乱数を、スタートスイッチ(30)からのスタート操作信号の入力を契機として、抽出乱数データとして抽出している。そして、その後、当選乱数抽出手段(112)は、かかる自動投入終了後に、当該抽出乱数データを当選判定手段(114)へ出力して、その当選判定手段(114)が、当選を判定している。これにより、当選乱数抽出手段(112)が当選乱数発生手段(111)から乱数を抽出するタイミングを、遊技者の人為的な動作に依存させることができ、乱数抽出のタイミングを不規則なものにすることができる。したがって、当選乱数抽出手段(112)が当選乱数発生手段(111)から乱数を抽出するタイミングを、クレジット数Ｐに加算用の遊技媒体の自動投入手段(140)による自動投入の終了時等に設定して乱数抽出のタイミングに規則性が混入されるようなことを回避することができる。
【００４０】
（請求項９）
請求項９記載の発明は、次の点を特徴とする。
すなわち、遊技媒体の投入を条件として遊技が開始可能となる遊技機(10)に対して、遊技媒体を直接投入して遊技を実行する媒体直接投入モードと、遊技媒体を予め投入して遊技機(10)内部に電子データとして記憶されたクレジット数(Ｐ)から所定数の遊技媒体数を減じて遊技開始の条件となる遊技媒体の投入に代えることが可能なクレジット投入モードとの両方を実行可能な遊技機用プログラムであって、前記遊技機(10)を、投入した遊技媒体を貯留するとともに遊技者に向かって払い出し可能な貯留払い出し手段(65)、前記貯留払い出し手段(65)から払い出された遊技媒体を貯留するための貯留受け手段、前記遊技機(10)内部へ自動投入するための遊技媒体を貯留可能な投入受け手段、前記投入受け手段内部の遊技媒体を遊技機(10)内部に自動的に投入するために前記投入受け手段から前記遊技機(10)内部へ連通する移送経路手段、前記移送経路手段を介して前記投入受け手段内部の遊技媒体を遊技機(10)内部へ移動させるための自動投入手段(140)、前記移送経路手段の内部に保留している遊技媒体の数を経路中保留数Ｍとして計測可能な経路中保留数計測手段(150)、現在のクレジット数Ｐ及び前記経路中保留数Ｍを合計した遊技媒体の数を、遊技機(10)全体の内部に保留している合計クレジット数Ｑとして、算出するための合計クレジット数算出手段(121)、前記合計クレジット数Ｑの予め定めた最大限度となる限界クレジット数Ｎを記憶する限界クレジット数記憶手段(122)、前記限界クレジット数Ｎから前記経路中保留数Ｍを減算した数を、前記クレジット投入モードにおけるクレジット可能な遊技媒体数の最大値である最大クレジット数Ｌとして算出する最大クレジット算出手段、現在のクレジット数Ｐからなる前記遊技機(10)内部にクレジットした遊技媒体を遊技開始の条件となる遊技媒体の投入に代えるためのベット手段、前記貯留払い出し手段(65)に投入された遊技媒体を前記最大クレジット数Ｌを限度にクレジット数Ｐとしてカウントするとともに、前記ベット手段の操作に基づいて、クレジット数Ｐから所定数の遊技媒体数を減じて、新たなクレジット数Ｐとするためのクレジット数演算手段(120)として機能させるための遊技機用プログラムである。
【００４１】
なお、ここで、「遊技機(10)」は、例えば、回転リール(40)、スタートスイッチ(30)、ストップスイッチ(50)及び制御装置(20)などを備えた現実の遊技機(10)でもよく、また、液晶ディスプレイやＣＲＴ等の画像表示装置に表示させた擬似的な遊技機でも良い。
また、ここで、「貯留受け手段」とは、貯留払い出し手段(65)から払い出された遊技媒体を貯留させるための手段であって、具体的には、例えば、現実の払い出し皿(143)のようなものを含む。
また、ここで、「投入受け手段」とは、遊技機内部へ自動投入するための遊技媒体を貯留させるための手段であって、具体的には、例えば、現実の投入皿(231)のようなものを含む。
【００４２】
また、ここで、「移送経路手段」とは、投入受け手段内部の遊技媒体を遊技機内部に自動的に投入するために投入受け手段から遊技機内部へ連通するための手段であって、具体的には、例えば、現実の移送経路(130)のようなものを含む。
また、ここで、「ベット手段」とは、現在のクレジット数Ｐからなる遊技機内部にクレジットした遊技媒体を遊技開始の条件となる遊技媒体の投入に代えるための手段であって、具体的には、例えば、現実のベットスイッチ(16)のようなものを含む。
また、この遊技機用プログラムを用いて業務用或いは家庭用テレビゲーム機等を制御しようとする場合には、現実の遊技メダルの払い出しを行い得ないので、この制御手段は、例えば、液晶ディスプレイやＣＲＴ等の画像表示装置に遊技メダルの枚数を増やすような画像を表示するように形成することができる。
【００４３】
すなわち、本発明に係る遊技機用プログラムは、現実の遊技機(10)を制御するためのプログラムと、業務用或いは家庭用のテレビゲーム機等に読み込まれることにより業務用或いは家庭用のテレビゲーム機等を遊技機(10)として機能させるためのプログラムとの双方を含むものである。
本発明に係る遊技機用プログラムには、いわゆる「電気通信回線を通じた提供」に利用される遊技機用プログラムも含まれるものである。そして、この電気通信回線を通じた提供に係る遊技機用プログラムは、遊技機用プログラムをインターネット等の双方向通信回線を介して実際に使用者に送信して利用させるもの（遊技機用プログラムの送信によるもの）と、遊技機用プログラム等を提供者のサーバー等の手許に残したまま、ユーザーがインターネット等の双方向通信を介して当該遊技機用プログラムにアクセスして、遊技機用プログラムのアプリケーションを利用させるもの（機能送信型のＡＳＰ（アプリケーションサービスプロバイダ）によるもの）とのいずれの場合も含まれるものである。
【００４４】
（作用）
本発明は、最大クレジット数算出手段(123)が、限界クレジット数Ｎから経路中保留数Ｍを減算した数を、クレジット可能な遊技媒体数の最大値である最大クレジット数Ｌとして算出している。すなわち、式で表すとＬ＝Ｎ−Ｍとなる。したがって、Ｌ＋Ｍ＝Ｎとなり、最大クレジット数Ｌと経路中保留数Ｍとを合計した数は、限界クレジット数Ｎとなる。そして、クレジット数演算手段(120)が、貯留払い出し手段(65)に投入された遊技媒体を最大クレジット数Ｌを限度にクレジット数としてカウントしている。したがって、現在のクレジット数Ｐは、最大クレジット数Ｌを超えることはない。すなわち、Ｐ＜Ｌ又はＰ＝Ｌとなる。ここで、現在のクレジット数Ｐと経路中保留数Ｍとを合計した遊技媒体の数を、合計クレジット数Ｑと定義している。すなわち、Ｐ＋Ｍ＝Ｑであり、この合計クレジット数Ｑは、遊技機全体の内部に、実質的に保留（クレジット）されている遊技媒体の数としての意味を有することになる。
【００４５】
上述した関係から、Ｐ＜Ｌ又はＰ＝Ｌの式の両辺にＭを加えると、Ｐ＋Ｍ＜Ｌ＋Ｍ又はＰ＋Ｍ＝Ｌ＋Ｍとなる。この式に上述したＬ＋Ｍ＝ＮとＰ＋Ｍ＝Ｑとを代入して、Ｎ及びＱで示すと、Ｑ＜Ｎ又はＱ＝Ｎとなるものである。したがって、合計クレジット数Ｑは、限界クレジット数Ｎを超えることはなく、合計クレジット数Ｑは限界クレジット数Ｎ以下の数値となることになる。すなわち、経路中保留数Ｍが異なる数値であっても、遊技機全体の内部に実質的に保留（クレジット）されている遊技媒体の数（合計クレジット数Ｑ）は、常に、予め定めた限界クレジット数Ｎ以下の数値にすることができる。このように、経路中保留数Ｍが異なる遊技機であっても、また、経路中保留数Ｍが変動するような遊技機であっても、実質的にクレジットされている遊技媒体の数である合計クレジット数Ｑを常に限界クレジット数Ｎ以下に設定することができる。これにより、実質的にクレジットされている遊技媒体の数（合計クレジット数Ｑ）の最大値を所定の数（限界クレジット数Ｎ）に設定することができ、遊技の効率性による公平性という観点から公平なものにすることができる。
【００４６】
更に、前記自動投入手段(140)は、現在の前記クレジット数Ｐが前記最大クレジット数Ｌよりも小さい場合、前記移送経路(130)の内部に保留されている遊技媒体を、前記最大クレジット数Ｌを限度に、クレジット数Ｐに加算用の遊技媒体として遊技機(10)内部に投入するように形成することができる。
このように形成すると、現在のクレジット数Ｐが最大クレジット数Ｌよりも小さい場合、移送経路手段内部に保留されている遊技媒体をクレジット数Ｐに加算用の遊技媒体として投入するため、現在のクレジット数Ｐを絶えず補充することができ、クレジット数Ｐの減少を抑えることができる。これにより、クレジット数Ｐへの補充のために遊技の途中で、クレジット数Ｐへの補充作業を介入させる必要がなく、遊技の流れを中断させるようなことを回避することができる。
【００４７】
更に、前記移送経路手段（例えば移送経路(130)）と、前記投入受け手段（例えば投入皿(231)）とは連通し、前記投入受け手段と、前記貯留受け手段とは連通するように形成することができる。
このように形成すると、結果として、投入受け手段を介して、移送経路手段と、貯留受け手段とが実質的に連通していることとなる。したがって、貯留受け手段へ払い出された遊技媒体を、投入受け手段を介して、移送経路手段へ簡単に移動させることができる。
更に、前記最大クレジット数Ｌを、１回の遊技開始のために必要な遊技媒体数の最大投入数に設定し、前記最大投入数を前記自動投入手段(140)による遊技開始用の遊技媒体の自動投入数に設定し、前記最大投入数を前記自動投入手段(140)によるクレジット数Ｐに加算用の遊技媒体の自動投入数に設定するように形成することができる。
【００４８】
このように形成すると、クレジットされたＬ個の遊技媒体をベット手段（例えば、ベットスイッチ(16)）を用いて投入メダルとして使用すると、自動投入手段(140)から、それと同数のＬ個の遊技媒体が、毎回、クレジットへ補充される。これにより、遊技者は、クレジット数Ｐへの遊技媒体の補填を、自動投入手段(140)により簡単に行うことができ、遊技者による遊技媒体の投入操作を簡単なものにすることができる。また、遊技者が、かかる最大投入数で連続して遊技を行いたい場合、投入数を遊技者自ら何らかの操作を行って特に選択する必要がなく、遊技を簡単に進めることができる。
更に、前記自動投入手段(140)は、遊技終了後、前記移送経路手段の遊技媒体を、クレジット数Ｐに加算用の遊技媒体として遊技機(10)内部に投入し、前記遊技機(10)は、かかる前記自動投入手段(140)による遊技媒体の投入終了後に次の遊技を開始するように形成することができる。
【００４９】
このように形成すると、自動投入手段(140)から遊技機(10)内部へ投入される遊技媒体が、クレジット数Ｐに加算用の遊技媒体なのか、或いは、遊技開始の条件として必要な遊技媒体なのか、明瞭に区別することができる。
更に、前記ベット手段は、遊技者の操作によりベット操作信号を出力し、前記遊技機(10)は、前記ベット手段からの前記ベット操作信号の入力を記憶して前記クレジット数演算手段(120)へ出力する操作記憶手段(160)を備え、前記操作記憶手段(160)は、遊技期間中は、入力された前記ベット操作信号を、即時に前記クレジット数演算手段(120)へ出力するが、当該遊技終了後、クレジット数Ｐに加算用の遊技媒体を前記自動投入手段(140)により自動投入している期間中は、前記ベット手段からの前記ベット操作信号の入力を記憶し、かかるクレジット数Ｐへの加算用の自動投入が終了した後、前記ベット操作信号を前記クレジット数演算手段(120)へ出力することにより、前記ベット手段の操作を有効化するように形成することができる。
【００５０】
このように形成すると、遊技と遊技との間の自動投入処理期間中のベット手段の操作が、かかる期間終了後に、有効となる。すなわち、クレジット数Ｐに加算用の遊技媒体を自動投入している期間中、遊技者のベット手段の操作は、かかる期間終了後に、有効となる。このため、かかる期間中の遊技者によるベット手段の操作が、無視されることなく、無駄にならない。これにより、遊技者が誤って、かかる期間中に操作しても、当該期間終了後に、再度、当該操作を繰り返し行う必要がなく、遊技の操作を簡単なものにすることができる。
更に、前記遊技機(10)は、複数の図柄(61)を変動表示可能な図柄変動表示手段(41)と、前記図柄変動表示手段(41)の変動を開始させるため、遊技者の操作によりスタート操作信号を出力するスタート手段（例えば、スタートスイッチ(30)）と、前記スタート手段からの前記スタート操作信号の入力を記憶して前記図柄変動表示手段(41)へ出力する操作記憶手段(160)とを備え、前記操作記憶手段(160)は、遊技期間中は、入力された前記スタート操作信号を、即時に前記図柄変動表示手段(41)へ出力するが、当該遊技終了後、クレジット数Ｐに加算用の遊技媒体を前記自動投入手段(140)により自動投入している期間中は、前記スタート手段からの前記スタート操作信号の入力を記憶し、かかるクレジット数Ｐへの加算用の自動投入が終了した後、前記スタート操作信号を前記図柄変動表示手段(41)へ出力することにより、前記スタート手段の操作を有効化するように形成することができる。
【００５１】
このように形成すると、遊技と遊技との間の自動投入処理期間中のスタート手段の操作が、かかる期間終了後に、有効となる。すなわち、クレジット数Ｐに加算用の遊技媒体を自動投入している期間中、遊技者のベット手段の操作は、かかる期間終了後に、有効となる。このため、当該期間中の遊技者のスタート手段の操作が、無視されることなく、無駄にならない。これにより、遊技者が誤って、かかる期間中に操作しても、当該期間終了後に、再度、当該操作を繰り返し行う必要がなく、遊技の操作を簡単なものにすることができる。
更に、前記遊技機(10)は、予め定めた当選率に基づいて当選か否かの当選判定の抽選を行うための当選抽選手段(110)を備え、前記スタート手段は、前記操作記憶手段(160)に前記ベット操作信号が記憶されていることを条件として、遊技者の操作により、当選抽選手段(110)へスタート操作信号を出力し、前記当選抽選手段(110)は、抽選用の乱数を所定の領域内で発生させる当選乱数発生手段(111)と、前記当選乱数発生手段(111)が発生する乱数を、前記スタート手段からの前記スタート操作信号の入力を契機として、抽出乱数データとして抽出する当選乱数抽出手段(112)と、前記当選乱数発生手段(111)がとる乱数の全領域中、各当選項目の当選領域を有する当選判定テーブル(113)と、前記当選乱数抽出手段(112)が抽出した抽出乱数データと前記当選判定テーブル(113)の当選率データを基に前記当選乱数発生手段(111)がとる乱数の全領域中の各当選項目の当選領域からなる当選判定領域データとを照合し、当該抽出乱数データが属する当選領域に対応する当選を決定するための当選判定手段(114)とを備え、前記当選乱数抽出手段(112)は、遊技期間中、抽出した抽出乱数データを、即時に前記当選判定手段(114)へ出力するが、当該遊技終了後、クレジット数Ｐに加算用の遊技媒体を前記自動投入手段(140)により自動投入している期間中、スタート操作信号の入力を契機に抽出した前記抽出乱数データを、記憶し、かかるクレジット数Ｐへの加算用の自動投入が終了した後、前記抽出乱数データを前記当選判定手段(114)へ出力し、前記当選判定手段(114)は、前記当選乱数抽出手段(112)からの前記抽出乱数データが属する当選領域に対応する当選を決定するように形成することができる。
【００５２】
このように形成すると、クレジット数Ｐに加算用の遊技媒体を自動投入手段(140)により自動投入している期間中であっても、当選乱数抽出手段(112)は、当選乱数発生手段(111)が発生する乱数を、スタート手段からのスタート操作信号の入力を契機として、抽出乱数データとして抽出する。そして、その後、当選乱数抽出手段(112)は、かかる自動投入終了後に、当該抽出乱数データを当選判定手段(114)へ出力して、その当選判定手段(114)が、当選を判定している。これにより、当選乱数抽出手段(112)が当選乱数発生手段(111)から乱数を抽出するタイミングを、遊技者の人為的な動作に依存させることができ、乱数抽出のタイミングを不規則なものにすることができる。したがって、当選乱数抽出手段(112)が当選乱数発生手段(111)から乱数を抽出するタイミングを、クレジット数Ｐに加算用の遊技媒体の自動投入手段(140)による自動投入の終了時等に設定して乱数抽出のタイミングに規則性が混入されるようなことを回避することができる。
【００５３】
（請求項１０）
請求項１０記載の発明は、次の点を特徴とする。
すなわち、遊技媒体の投入を条件として遊技が開始可能となる遊技機(10)に対して、遊技媒体を直接投入して遊技を実行する媒体直接投入モードと、遊技媒体を予め投入して遊技機(10)内部に電子データとして記憶されたクレジット数(Ｐ)から所定数の遊技媒体数を減じて遊技開始の条件となる遊技媒体の投入に代えることが可能なクレジット投入モードとの両方を実行可能な遊技機用プログラムを記録したコンピュータ読み取り可能な記録媒体であって、前記遊技機(10)を、投入した遊技媒体を貯留するとともに遊技者に向かって払い出し可能な貯留払い出し手段(65)、前記貯留払い出し手段(65)から払い出された遊技媒体を貯留するための貯留受け手段、前記遊技機(10)内部へ自動投入するための遊技媒体を貯留可能な投入受け手段、前記投入受け手段内部の遊技媒体を遊技機(10)内部に自動的に投入するために前記投入受け手段から前記遊技機(10)内部へ連通する移送経路手段、前記移送経路手段を介して前記投入受け手段内部の遊技媒体を遊技機(10)内部へ移動させるための自動投入手段(140)、前記移送経路手段の内部に保留している遊技媒体の数を経路中保留数Ｍとして計測可能な経路中保留数計測手段(150)、現在のクレジット数Ｐ及び前記経路中保留数Ｍを合計した遊技媒体の数を、遊技機(10)全体の内部に保留している合計クレジット数Ｑとして、算出するための合計クレジット数算出手段(121)、前記合計クレジット数Ｑの予め定めた最大限度となる限界クレジット数Ｎを記憶する限界クレジット数記憶手段(122)、前記限界クレジット数Ｎから前記経路中保留数Ｍを減算した数を、前記クレジット投入モードにおけるクレジット可能な遊技媒体数の最大値である最大クレジット数Ｌとして算出する最大クレジット算出手段、現在のクレジット数Ｐからなる前記遊技機(10)内部にクレジットした遊技媒体を遊技開始の条件となる遊技媒体の投入に代えるためのベット手段、前記貯留払い出し手段(65)に投入された遊技媒体を前記最大クレジット数Ｌを限度にクレジット数Ｐとしてカウントするとともに、前記ベット手段の操作に基づいて、クレジット数Ｐから所定数の遊技媒体数を減じて、新たなクレジット数Ｐとするためのクレジット数演算手段(120)として機能させるための遊技機用プログラムを記録したコンピュータ読み取り可能な記録媒体である。
【００５４】
本発明の作用及び効果は、請求項９記載の発明と同様であるため、省略する。
【発明の効果】
【００５５】
本発明は、以上のように構成されているので、以下に記載されるような効果を奏する。
（請求項１）
請求項１記載の発明によれば、次のような効果を奏する。
すなわち、請求項１記載の発明によれば、実質的にクレジットされている遊技媒体の数（合計クレジット数Ｑ）の最大値を所定の数（限界クレジット数Ｎ）に設定することができ、遊技の効率性による公平性という観点から公平な遊技機を提供することができる。
（請求項２）
請求項２記載の発明によれば、上記した請求項１記載の発明の効果に加え、次のような効果を奏する。
【００５６】
すなわち、請求項２記載の発明によれば、現在のクレジット数Ｐを絶えず補充することができ、クレジット数Ｐの減少を抑えることができて、クレジットへの補充作業を回避することができるようにした遊技機を提供することができる。
（請求項３）
請求項３記載の発明によれば、上記した請求項２に記載の発明の効果に加え、次のような効果を奏する。
すなわち、請求項３記載の発明によれば、クレジット数Ｐへの遊技媒体の補填を、自動投入手段により簡単に行うことができ、遊技媒体の投入操作を簡単にして、遊技を簡単に進めることができるようにした遊技機を提供することができる。
【００５７】
（請求項４）
請求項４記載の発明によれば、上記した請求項１乃至３のいずれか１項に記載の発明の効果に加え、次のような効果を奏する。
すなわち、請求項４記載の発明によれば、払い出し皿へ払い出された遊技媒体を、投入皿を介して、移送経路へ簡単に移動させることができるようにした遊技機を提供することができる。
（請求項５）
請求項５記載の発明によれば、上記した請求項１乃至４のいずれか１項に記載の発明の効果に加え、次のような効果を奏する。
【００５８】
すなわち、請求項５記載の発明によれば、自動投入手段から遊技機内部へ投入される遊技媒体の内容を区別することができるようにした遊技機を提供することができる。
（請求項６）
請求項６記載の発明によれば、上記した請求項５に記載の発明の効果に加え、次のような効果を奏する。
すなわち、請求項６記載の発明によれば、遊技者が誤って、遊技と遊技との間の自動投入処理期間中にベットスイッチを操作しても、当該期間終了後に、再度、当該操作を繰り返し行う必要がなく、遊技の操作を簡単なものにすることができるようにした遊技機を提供することができる。
【００５９】
（請求項７）
請求項７記載の発明によれば、上記した請求項５に記載の発明の効果に加え、次のような効果を奏する。
すなわち、請求項７記載の発明によれば、遊技者が誤って、遊技と遊技との間の自動投入処理期間中にスタートスイッチを操作しても、当該期間終了後に、再度、当該操作を繰り返し行う必要がなく、遊技の操作を簡単なものにすることができるようにした遊技機を提供することができる。
（請求項８）
請求項８記載の発明によれば、上記した請求項７に記載の発明の効果に加え、次のような効果を奏する。
【００６０】
すなわち、請求項８記載の発明によれば、乱数を抽出するタイミングを、遊技者の人為的な動作に依存させることができて、乱数抽出のタイミングを不規則なものにすることができ、乱数抽出のタイミングに規則性の混入を回避可能な遊技機を提供することができる。
（請求項９）
請求項９記載の発明によれば、次のような効果を奏する。
すなわち、請求項９記載の発明によれば、実質的にクレジットされている遊技媒体の数（合計クレジット数Ｑ）の最大値を所定の数（限界クレジット数Ｎ）に設定することができ、遊技の効率性による公平性という観点から公平な遊技機用プログラムを提供することができる。
【００６１】
（請求項１０）
請求項１０記載の発明によれば、次のような効果を奏する。
すなわち、請求項１０記載の発明によれば、実質的にクレジットされている遊技媒体の数（合計クレジット数Ｑ）の最大値を所定の数（限界クレジット数Ｎ）に設定することができ、遊技の効率性による公平性という観点から公平な遊技機用プログラムを記録したコンピュータ読み取り可能な記録媒体を提供することができる。
【発明を実施するための最良の形態】
【００６２】
（図面の説明）
図１乃至図１５は、本発明の実施の形態を示すものである。
図１は遊技機の遊技メダルの流れのブロック図、図２は遊技機の入力、制御及び出力のブロック図、図３は当選抽選手段のブロック図、図４は遊技機の外観正面図、図５は遊技機の外観斜視図、図６は払い出し皿及び投入皿の縦断面図、図７は下部送り出し円板が遊技メダルを送出する状態の概略平面図、図８はメダル立設装置により遊技メダルが立設する状態の概略平面図、図９は上昇装置の概略横断面図、図１０乃至図１３は遊技機の通常遊技の動作の概略のフロー、図１４は遊技機の連続した複数回の通常遊技の流れの概略図、図１５はクレジット数Ｐに加算用の遊技メダルの投入処理をそれぞれ示すものである。
【００６３】
（遊技機10）
本実施の形態に係る遊技機10は、大きく分けて、正面側に開口する正面開口部を有する箱状の筐体11と、この筐体11の正面開口部を開閉可能に塞ぐための前扉14とから構成されている。そして、筐体11の内部及び前扉14の裏面側には、遊技を行うための各種装置が配置されている。
（前扉14）
上記前扉14は、筐体11の向かって左側に回転軸を有して回転自在に形成され、かつ筐体11の正面開口部にロック可能に形成されている板状の扉である。
【００６４】
前記前扉14の略中央の右端には、遊技を行うために遊技者が遊技メダルを投入するためのメダル投入口18が形成されている。そして、前扉14の略中央の向かって左側には、ベットスイッチ16が形成されている。このベットスイッチ16は、遊技機10内部に貯留した遊技メダル（いわゆるクレジットした遊技メダル）を、操作により遊技メダル１枚乃至３枚の投入に代えることが可能なものである。また、前扉14の中央左側の正面側には、操作により回転リールの回転を開始させるためのレバー式のスタートスイッチ30が形成されている。そして、前扉14の略中央の正面側には、操作により３個の回転リールのそれぞれを停止させることが可能なボタン式のストップスイッチ50が形成されている。そして、前扉14の中央の向かって右側には、前扉14の開閉のロックを解除可能な鍵穴144が形成されている。この鍵穴144に所定の鍵を差し込んで回すと、前扉14の扉ロック機構のロックが解除されるものである。
【００６５】
さらに、前扉14の裏面側には、前記メダル投入口18から投入された遊技メダルを誘導しながら遊技メダルの正偽を判断するためのメダルセレクター148が設けられている。このメダルセレクター148の内部には、適正な遊技メダルが投入された場合に、電気信号を発生する投入スイッチ15が設けてある。
前記前扉14の中央部から上部には、遊技者側に向かって臨む略四角窓状の表示窓12が形成されている。そして、この表示窓12の略中央には、三個の回転リール40の図柄61を見ることができる図柄表示窓13が形成されている。
上記回転リール40は、図４の向かって左端側に位置する左側回転リール43と、図４の向かって右端側に位置する右側回転リール45と、この左側回転リール43及び右側回転リール45の間に位置する中央回転リール44とからなるものである。そして、遊技機10の前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、遊技メダルの投入枚数が、１枚の場合、五本の入賞ラインのうち、横中央の一本が入賞有効ラインとなる。そして、遊技メダルの投入枚数が、２枚の場合、五本の入賞ラインのうち、横方向の三本が入賞有効ラインとなる。そして、遊技メダルの投入枚数が、３枚の場合、対角線も含めた五本の入賞ラインの全部が、入賞有効ラインとなる。
【００６６】
なお、ここで、遊技メダルのメダル投入口18からの直接投入により、或いは、ベットスイッチ16の操作により、遊技を開始可能とするために投入された遊技メダルを「投入メダル」と定義し、かかる意味内容で使用する。すなわち、投入メダルが１枚のとき、入賞有効ラインが一本となり、投入メダルが２枚のとき、入賞有効ラインが三本となり、投入メダルが３枚のとき、入賞有効ラインが五本となるものである。本実施の形態に係る遊技機10では、投入メダルの枚数は、１枚、２枚、３枚のいずれかに設定されているものである。
また、ここで、遊技機の内部にクレジット（貯留）されて、ベットスイッチ16の操作により投入メダルとして利用可能な遊技メダルを「クレジットメダル」と定義し、かかる意味内容で使用する。そして、このクレジットメダルとしてクレジットされている遊技メダルの枚数を、「クレジット数」として定義し、かかる意味内容で使用する。
【００６７】
本実施の形態に係る遊技機10は、遊技媒体である遊技メダルを直接投入して遊技を実行する媒体直接投入モードと、遊技媒体である遊技メダルを予め遊技機10内部に投入して遊技機内部に電子データとして記憶されたクレジット数から所定数の遊技メダル数を減じて遊技開始の条件となる遊技メダルの投入に代えることが可能なクレジット投入モードとの両方を備えている。
具体的には、遊技中は、メダル投入口18から遊技メダルを投入する場合、投入メダル数が、投入メダル数の最大枚数である３枚に到達していないときは、媒体直接投入モードとなり、メダル投入口18から投入された遊技メダルは投入メダルとなる。そして、投入メダルの最大枚数３枚を超えて、遊技メダルがメダル投入口18から投入された場合は、かかる遊技メダルは、クレジットメダルとなり、クレジット数に加算されるものである。そして、クレジット数が最大クレジット数に到達するまでは、遊技メダルの直接投入により、クレジット数に加算され、最大クレジット数を超えて、遊技メダルを直接投入すると、かかる遊技メダルは払い出し皿143へ排出されるように設定されている。
【００６８】
なお、本実施の形態で、自動投入手段140が、遊技間に、クレジット数Ｐに加算するための遊技メダルの投入処理を行うが、かかる投入処理の場合は、現在の投入メダル数に関係なく、クレジット投入モードとなり、強制的に全てクレジット数Ｐへ加算されるように設定されている。
そして、クレジットメダルが有る場合に、ベットスイッチ16を操作すると、クレジット投入モードとなる。例えば、投入メダルが０枚で、クレジット数Ｐが３３枚存在している場合に、３枚投入のベットスイッチ16が操作されると、記憶されたクレジット数Ｐから３枚の遊技メダル数が減算されて、クレジット数Ｐが３０枚となり、投入メダルが３枚となるものである。
【００６９】
なお、本実施の形態において、「手前側」とは、遊技者が、遊技機10の前扉14の前に遊技機10の方を向いて位置しているような場合のかかる遊技者の手前側を意味する。したがって、手前側方向とは、遊技機10の奥から正面へ向かう方向を意味する。また、「奥側」とは、遊技者が、遊技機10の正面側に遊技機10の方を向いて位置しているような場合のかかる遊技者から見たときの奥側を意味する。したがって、奥側方向とは、遊技機10の正面から奥へ向かう方向を意味する。
（払い出し皿143）
前扉14の下部には貯留払い出し手段65により払い出された遊技メダルを貯留するための箱状の払い出し皿143が形成されている。この払い出し皿143の中央奥側には、貯留払い出し手段65から払い出される下部払い出し排出口145が形成されている。そして、前扉14の下部の払い出し皿143の上には、遊技内容その他の案内表示をするための前パネル70が嵌め込まれている。
【００７０】
前記払い出し皿143の向かって右側には、遊技機10内部へ自動投入するための遊技メダルを貯留可能な投入皿231が形成されている。
（投入皿231）
上記投入皿231は、メダル投入口18へ自動投入するための遊技メダルを、貯留するためのものであって、上方に向かって開口した四角箱状に形成されているものである。この投入皿231の底面は、払い出し皿143の底面より高さ方向の高い位置となるように形成されている。この投入皿231と払い出し皿143との間には、払い出し皿143へ払い出された遊技メダルを、遊技機10内部へ自動投入するための投入皿231へ移送することが可能な下部投入移送手段192が形成されている。
【００７１】
そして、投入皿231内部の遊技メダルを遊技機内部に自動的に投入するために投入皿231から遊技機内部へ連通する移送経路130が形成されている。そして、前記投入皿231と、移送経路130とは連通した状態に形成されている。具体的には、投入皿231の底面に下部送り出し円板234が形成されてあり、この下部送り出し円板234により送出された遊技メダルが、移送経路130のメダル立設装置235へ投入されるように形成されている。
この下部送り出し円板234は、貯留払い出し手段65であるホッパーユニット内部にも同様の構造のものが形成されているもので、その下部送り出し円板234の上に乱雑に貯留された遊技メダルを１枚ずつ、整列した状態で送り出すことを可能とするものである。この下部送り出し円板234の全周には、遊技メダルの直径より僅かに大きな直径からなる円形状のメダル孔236（図７）が形成されている。そして、下部送り出し円板234が回転することにより、この円形状の孔に、遊技メダルが入り込み可能に形成されているものである。そして、図７に示すように、下部送り出し円板234の下面に向かって外部に固定されたピン237が突出している。下部送り出し円板234の下面側には、突出するピン237により、下部送り出し円板234の回転を阻害しないような溝（図示せず）が形成されている。そして、下部送り出し円板234が回転することにより、かかるピン237に当たって押し出されたメダル孔236内の遊技メダルが、１枚ずつ、投入皿231の外に送り出されるように形成されている。そして、下部送り出し円板234により送り出された遊技メダルは、メダル立設装置235を経ることで、縦方向に立った状態となる。そして、縦方向に立設した状態の遊技メダルは、上昇装置220の螺旋状の内部へ供給されるものである。
【００７２】
（下部投入移送手段192）
上記下部投入移送手段192は、払い出し皿143内部の遊技メダルを、投入皿231へ移送させるためのものである。具体的には、下部投入移送手段192は、払い出し皿143の底面と投入皿231の底面との間を連続して傾斜した状態の下部投入移送傾斜通路193により形成されているものである。この下部投入移送傾斜通路193は、払い出し皿143から投入皿231へ向かって上り傾斜となるように形成されている。そして、この下部投入移送傾斜通路193により、払い出し皿143と投入皿231との底面同士が連続して通じた状態、いわゆる連通状態に形成されている。
【００７３】
ここで、下部投入移送傾斜通路193は、払い出し皿143から投入皿231へ向かって上り傾斜に形成されている。このため、払い出し皿143へ払い出された遊技メダルを投入皿231へ投入するためには、図６に示すように、遊技者が自らの手で遊技メダルを下部投入移送傾斜通路193の上り傾斜面に沿って、投入皿231へ押し上げることによって移動させる必要がある。これにより、下部払い出し排出口145から払い出された遊技メダルは、遊技者の意思に反して、投入皿231の内部へ投入されるようなことを抑えることができる。
（メダル投入口18）
上記メダル投入口18は、その形状が略長方形の開口する孔状のものであって、このメダル投入口18の幅は、遊技メダルの厚みより僅かに大きなものに設定され、メダル投入口18の長さは、遊技メダルの直径より僅かに大きなものに設定されている。そして、このメダル投入口18は、その下部に配置されたメダルセレクター148へ遊技メダルを移送するための通路を有している。したがって、メダル投入口18から投入された遊技メダルは、メダルセレクター148へ案内されるものである。
【００７４】
また、このメダル投入口18の右上には、投入移送手段180としての投入移送傾斜通路181の出口が配置されてあり、この投入移送手段180の出口から転がり落ちた遊技メダルがメダル投入口18の内部へ投入されるように形成されている。
また、メダル投入口18の手前には、遊技メダルを複数枚、重ねたものを置いて、手で少しずつ押しながら遊技者の手による投入が可能な案内凹部が形成されている。
（メダルセレクター148）
上記メダルセレクター148は、メダル投入口18から投入された遊技メダルが、予め定めた寸法形状や材質からなる適正なものであるか否かを判断して分別することができるものである。そして、メダルセレクター148は、メダル投入口18から投入された遊技メダルが予め定めた適正な遊技メダルであれば、メダルセレクター148内部の投入スイッチ15をＯＮ状態にする。そして、かかる適正な遊技メダルは、貯留払い出し手段65へ貯留される。一方、メダル投入口18から投入された遊技メダルが不適正なものであれば、かかる遊技メダルは下方の払い出し皿143へ排出されるように形成されている。
【００７５】
遊技機10の内部には、図示していないが、遊技機10の全体の動作を制御するための制御装置20（図２参照）が内蔵されている。
（制御装置20）
上記制御装置20は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、次の（１）及び（２）の装置を有するものである。
（１）遊技制御装置21
（２）演出制御装置22
図２に示すように、スタートスイッチ30及びストップスイッチ50の操作により、回転リール40の回転及び停止を制御するための遊技制御装置21と、ランプやスピーカ等の表示装置66を制御するための演出制御装置22とが内蔵されている。また、ＣＰＵは、遊技制御装置21及び演出制御装置22に、それぞれ一個ずつ配置されているが、特にこれに限定されるものではなく、一個のＣＰＵで制御しても良く、或いは、二個以上のＣＰＵで制御するようにしても良いものである。
【００７６】
また、ＣＰＵ、ＲＯＭ、ＲＡＭ及びＩ／Ｏ等は一体化されてワンチップを構成したものでも良い。
（遊技制御装置21）
上記遊技制御装置21は、スタートスイッチ30及びストップスイッチ50の操作により、回転リール40の回転及び停止を制御するためのものである。そして、この遊技制御装置21は、次の（１）乃至（７）の手段として機能する。
（１）遊技制御手段23
（２）当選抽選手段110
（３）クレジット数演算手段120
（４）合計クレジット数算出手段121
（５）限界クレジット数記憶手段122
（６）最大クレジット数算出手段123
（７）操作記憶手段160
また、遊技制御装置21としては、上記した（１）乃至（７）の手段に限定されるものではなく、他の手段を含んでいても良い。
【００７７】
（演出制御装置22）
上記演出制御装置22は、主として演出データに関するものであって、報知ランプ69やスピーカ67等の報知装置66を制御するためのものである。そして、遊技制御装置21の内部データの信頼性を担保するため、遊技制御装置21と演出制御装置22との間での信号のやりとりは、一方通行となるように設定されている。すなわち、遊技制御装置21から、演出制御装置22に向かって出力信号のみが送出され、この演出制御装置22から遊技制御装置21に向かっていかなる信号も送出されないように設定されている。これにより、当選率等の抽選に関するデータを有する遊技制御装置21のデータ保護を容易なものにすることができる。
【００７８】
そして、この演出制御装置22は、次の（１）及び（２）の手段として機能する。
（１）入賞演出データ記憶手段25
（２）入賞演出制御手段26
また、演出制御装置22としては、上記した（１）及び（２）の手段に限定されるものではなく、他の手段を含んでいても良い。
なお、ここで、遊技機10は、遊技制御装置21を配置した主基板の他に、前記演出制御装置22を配置したサブ基板を設けているものである。
上記制御装置20の入力側には、主として制御装置20に信号を送る入力手段が配置され、上記制御装置20の出力側には、主として制御装置20からの信号が送り込まれる出力手段が配置されている。
【００７９】
（入力手段）
上記制御装置20の入力側には、図２に示すように、次のパーツが接続されている。
（１）投入スイッチ15
（２）ベットスイッチ16
（３）精算スイッチ17
（４）スタートスイッチ30
（５）ストップスイッチ50
（６）経路中保留数計測手段150
（７）自動投入スイッチ141
なお、入力手段としては、上記した（１）乃至（７）のパーツに限定されるものではない。
【００８０】
（出力手段）
上記制御装置20の出力側には、図２に示すように、次のパーツが接続されている。
（１）自動投入手段140
（２）リールユニット60（図柄変動表示手段41）
（３）貯留払い出し手段65
（４）報知装置66（報知ランプ69及びスピーカ67）
（５）クレジット数表示装置48
（６）経路中保留数表示装置46
（７）合計クレジット数表示装置47
（８）最大クレジット数表示装置49
なお、出力手段としては、上記した（１）乃至（８）のパーツに限定されるものではない。
【００８１】
（投入スイッチ15）
上記投入スイッチ15は、図４に示すように、回転リール40の斜め下方に位置するスイッチであって、遊技メダルのメダル投入口18から投入された遊技メダルを検知するためのものである。この投入スイッチ15は、特に図示していないが、投入された遊技メダルが偽物でないか否かの判定を行うとともに、正当な遊技メダルが投入された場合の検知を行うメダルセレクター148の内部に形成されているものである。
（ベットスイッチ16）
上記ベットスイッチ16は、図４に示すように、回転リール40の下方に位置するスイッチであって、貯留した遊技メダルの数、いわゆるクレジットした遊技メダルの数であるクレジット数を減じてメダル投入に代えるためのものである。なお、ここで、かかるベットスイッチ16は、いわゆるマックスベットスイッチであって、投入メダルとして投入可能な最大枚数である３枚のクレジットメダルを投入メダルとして代えることができるものである。但し、マックスベットスイッチが操作されても、遊技メダルの計算上、１枚ずつカウントされて、それが順に自動的に３回行われるように設定されている。なお、このマックスベットスイッチであるベットスイッチ16の左には、１枚のクレジットメダルを１回の押下で投入メダルに代えることができる１枚ベットスイッチ19が形成されている。
【００８２】
前記ベットスイッチ16は、遊技者の操作により、ベット操作信号を操作記憶手段160へ出力するものである。そして、操作記憶手段160に入力されたベット操作信号は、遊技期間中、即時に、そのまま、クレジット数演算手段120へ送出される。しかし、当該遊技終了後、クレジット数Ｐに加算用遊技メダルの投入処理が自動投入手段140により行われている期間中、ベット操作信号は、操作記憶手段160に記憶されて、一時的に保持された状態となる。その後、かかる投入処理が終了した後、そのベット操作信号はクレジット数演算手段120へ出力されて、ベットスイッチ16の操作が有効なものとなるように設定されている。
【００８３】
（精算スイッチ17）
上記精算スイッチ17は、図４に示すように、回転リール40の斜め下方に位置するスイッチであって、貯留した投入メダルを払い出すためのものである。
（スタートスイッチ30）
上記スタートスイッチ30は、図４に示すように、回転リール40の斜め下方に位置するレバーである。そして、このスタートスイッチ30は、図柄変動表示手段41の変動を開始させるため、遊技者の操作によりスタート操作信号を操作記憶手段160を経由して図柄変動表示手段41へ出力するものである。なお、ここで、図柄変動表示手段41の変動とは、リールユニット60の回転リール40の回転を意味する。そして、スタートスイッチ30は、遊技メダルの投入若しくはベットスイッチ16の投入を条件に、リールユニット60の駆動を開始させることができるものである。
【００８４】
また、このスタートスイッチ30は、操作記憶手段160にベット操作信号が記憶されていることを条件として、遊技者の操作により、当選抽選手段110へスタート操作信号を出力する。
（ストップスイッチ50）
上記ストップスイッチ50は、リールユニット60の駆動を停止させるためのものである。具体的には、ストップスイッチ50は、図４に示すように、各回転リール40に対応した三個のスイッチから構成され、各回転リール40の下方に１個ずつ配置されているものである。回転リール40に対応したストップスイッチ50の操作により、当該対応した回転リール40が回転を停止するように設定されているものである。
【００８５】
（経路中保留数計測手段150）
上記経路中保留数計測手段150は、図１に示すように、移送経路130の内部に保留している遊技メダルの数を経路中保留数Ｍとして計測可能なものである。具体的には、経路中保留数計測手段150は、移送経路130の入り口側に位置して、遊技メダルの通過を検知可能な入り口センサー151と、移送経路130の出口側に位置して、遊技メダルの通過を検知可能な出口センサー152とを備えている。この入り口センサー151及び出口センサー152は、いずれも光センサーであって、遊技メダルの通路の一方側に配置されて光源となるＬＥＤと、遊技メダルの通路のＬＥＤの反対側に配置されてこのＬＥＤの光を検知可能なフォトトランジスタからなるものである。そして、この入り口センサー151及び出口センサー152は、遊技メダルが通過すると、ＬＥＤからの光の遮断をフォトトランジスタが検知することにより、遊技メダルの通過を検知することができるものである。なお、この入り口センサー151及び出口センサー152の取り付け位置は、遊技メダルが連続して通過しても、１枚１枚の移動を検知することができるように、遊技メダルの中心の移動軌跡上ではなく、僅かに周辺側にずれた位置に配置されている。
【００８６】
前記入り口センサー151は、図７に示すように、メダル立設装置235の内部に設けられている。そして、この入り口センサー151は、図８に示すように、メダル立設装置235の内部の遊技メダルの通路を挟み込むように形成され、遊技メダルの移動を検知可能に形成されている。
前記出口センサー152は、図４及び図５に示すように、投入移送手段180の内部に設けられている。具体的には、この出口センサー152は、投入移送傾斜通路181の内部の遊技メダルの通路を挟み込むように形成され、遊技メダルの移動を検知可能に形成されている。
前記経路中保留数計測手段150は、入り口センサー151によって移送経路130内部に入り込んだ遊技メダルの枚数を検知することができ、出口センサー152によって移送経路130から排出された遊技メダルの枚数を検知することができる。これにより、経路中保留数計測手段150は、移送経路130内部に入り込んだ遊技メダルの数から排出された遊技メダルの数の差を算出することにより、移送経路130内部に留まっている遊技メダルの数を、経路中保留数Ｍとして検出することができるものである。
【００８７】
（自動投入スイッチ141）
上記自動投入スイッチ141は、クレジット数Ｐに加算用の遊技メダルの自動投入処理が終了した後、操作可能状態となるものであって、かかる操作可能時に操作された場合、自動投入手段140は、遊技メダルを、メダル投入口18から投入する。そして、かかる遊技メダルの投入は、クレジット数演算手段120により、遊技開始用の遊技メダル、いわゆる投入メダルとして認識されるように設定されている。
なお、ここで、遊技開始用の遊技メダルとは、遊技を開始可能とするために必要な１枚〜３枚の遊技メダルを意味し、投入されることにより投入メダルとなるものである。
【００８８】
また、クレジット数Ｐに加算用の遊技メダルとは、投入されることにより、その枚数がクレジット数Ｐに加算される遊技メダルであって、投入されることにより、クレジットメダルとなるものである。
（自動投入手段140）
上記自動投入手段140は、移送経路130を介して投入皿231内部の遊技メダルを、遊技機10内部へ移動させるためのものである。具体的には、投入皿231内部の遊技メダルを、メダル投入口18へ投入させるためのものである。
前記自動投入手段140は、投入皿231内部の遊技メダルを立設させるためのメダル立設装置235と、このメダル立設装置235からの遊技メダルを、上方へ移送するための上昇装置220と、この上昇装置220の上部から排出された遊技メダルをメダル投入口18まで移送する投入移送手段180とを備えている。なお、移送経路130は、かかるメダル立設装置235、上昇装置220、投入移送手段180の順に遊技メダルが移送可能な経路を意味するものである。
【００８９】
前記自動投入手段140は、現在のクレジット数Ｐが最大クレジット数Ｌよりも小さい場合、移送経路130の内部に保留されている遊技メダルを、最大クレジット数Ｌを限度に、クレジット数Ｐに加算用の遊技メダルとして遊技機内部に投入するように形成されている。すなわち、自動投入手段140は、現在のクレジット数Ｐが最大クレジット数Ｌよりも小さい場合、すなわちＰ＜Ｌの場合、経路中保留数Ｍのうちから、クレジット数Ｐが最大クレジット数Ｌを超えない範囲で、メダル投入口18から移送経路130内部に保留されている遊技メダルを投入するものである。
これにより、移送経路130内部に遊技メダルを保留し、投入皿231へ充分な枚数の遊技メダルが貯留されているような場合、現在のクレジット数Ｐを絶えず補充することができ、クレジット数Ｐの減少を抑えることができる。したがって、クレジット数Ｐへの補充のために遊技の途中で、クレジット数Ｐへの補充作業を介入させる必要がなく、遊技の流れを中断させるようなことを回避することができる。
【００９０】
なお、上述した移送経路130の遊技メダルを、クレジット数Ｐに加算するための遊技メダルとして、自動投入手段140により行われる投入処理は、図１４に示すように、当該遊技終了後、次の遊技に移行する前、すなわち、遊技と遊技との間に行われるように設定されている。
そして、当該遊技機10は、クレジット数Ｐに加算のための自動投入手段140による遊技メダルの投入終了後に、次の遊技を開始するように設定されている。なお、この遊技メダルの投入終了は、図１５に示すように、クレジット数Ｐが最大クレジット数Ｌに到達した場合、或いは、経路中保留数Ｍが０枚になって、移送経路130内部に遊技メダルが１枚も無い場合に、図１５に示す投入処理が終了するものである。そして、前回遊技の終了後、自動投入手段140によるクレジット数Ｐに加算のための自動投入が終了するまでの間、自動投入された遊技メダルは全て、遊技開始用の遊技メダルとしてではなく、クレジット数Ｐに加算用の遊技メダルとして、クレジット数演算手段120によりカウントされるように設定されている。
【００９１】
そして、上述したクレジット数Ｐに加算用の遊技メダルの自動投入処理が終了した後、遊技者により、自動投入スイッチ141が操作された場合、自動投入手段140は、遊技開始用の遊技メダルを投入することができる。もちろん、遊技者は、ベットスイッチ16を押下してクレジットメダルを遊技開始用の遊技メダル、いわゆる投入メダルとして使用することができる。
（メダル立設装置235）
上記メダル立設装置235は、下部送り出し円板234から１枚ずつ水平方向に押し出される遊技メダルを、立設させるための装置である。本実施の形態に係るメダル立設装置235は、図８に示すように、遊技メダルを移送する薄型の四角筒状の通路を、遊技メダルが途中で詰まらない程度に移送方向の中央を回転の中心軸として少しずつ回転させて、移送角度を捻らせることにより、遊技メダルを立設させているものである。もちろん、メダル立設装置235の遊技メダルを立設させる機構は、これに限定されるものではない。例えば、メダル立設装置235を、外周表面の傾斜角度が、円周状で約９０度程度、変化させた、変形カムを回転させることにより、その傾斜表面に沿って、遊技メダルを立設させるようなものでも良いものである。
【００９２】
（上昇装置220）
前記上昇装置220は、遊技機10の向かって右側の内部に位置して、投入皿231の内部の遊技メダルを上方に向かって移送するためのものである。具体的には、この上昇装置220は、全体形状が略中空の四角筒状であって鉛直方向に立設する筒部221と、この筒部221の中心に位置して回転可能な円柱状の回転軸部222と、この回転軸部222の外周表面に螺旋状に連続して外側へ向かって突出する螺旋部223と、前記回転軸部222を回転させるための駆動モーター（図示せず）とを備えている。前記メダル立設装置235により立設した状態の遊技メダルは、上昇装置220の下部から筒部221の内部に投入され、かかる立設した状態のままで、筒部221と、回転軸部222と、螺旋部223との間の空間内に入り込む。そして、回転軸部222が駆動モーターにより回転することにより、遊技メダルを、かかる筒部221と、回転軸部222と、螺旋部223との間の空間を上方に向かって、螺旋部223に沿って移送させることができるものである。具体的には、図９に示すように、遊技メダルが、四角筒状の筒部221の一つの側面内側に入り込むものである。そして、入り込んだ状態では、遊技メダルは、筒部221の形状により、回転軸部222の回転方向への移動は制限される。そして、かかる状態において、螺旋部223が回転することにより、遊技メダルの下部を上方に向かって押し上げる。これにより、遊技メダルが筒部221内面に沿って上方へ移動するものである。
【００９３】
前記筒部221の上部のスロットマシンS側には、遊技メダルの縦断面より僅かに大きな形状からなる表裏に開口する四角形状の上昇メダル排出口210が形成されている。
（上昇メダル排出口210）
上記上昇メダル排出口210は、メダル貸し出し機200の上部外側に面して上昇装置220で上昇させた遊技メダルを上昇装置220の外部に排出するための筒部221の表裏に開口する孔である。すなわち、上昇装置220の筒部221内を螺旋部223の回転によって上昇してきた遊技メダルは、全て、筒部221上部の上昇メダル排出口210から、筒部221の外部へ排出されるように形成されている。そして、上昇メダル排出口210から排出された遊技メダルは、全て、投入移送手段180へ移送される。
【００９４】
（投入移送手段180）
上記投入移送手段180は、図１、図４及び図５に示すように、上昇装置220の上昇メダル排出口210から排出された遊技メダルを、メダル投入口18からメダルセレクター148までの遊技メダルの経路に移送するためのものである。具体的には、投入移送手段180は、上昇メダル排出口210と、メダル投入口18との間を、メダル投入口18側に向かって下り傾斜に連通する投入移送傾斜通路181から形成されているものである。
前記投入移送傾斜通路181は、全体形状が薄型の四角筒状に形成されているものであって、その内部空間の厚みは、遊技メダルの厚みより、僅かに大きくなるように形成されている。そして、投入移送傾斜通路181は、正面から見て、台形状に形成されてあり、その内側の底面は上昇メダル排出口210からメダル投入口18まで下り傾斜となるように形成されている。このため、上昇メダル排出口210から排出された立設した状態の遊技メダルは、投入移送傾斜通路181の四角筒状の内部を、そのまま立設した状態でメダル投入口18側に向かって転がり落ちる。そして、遊技メダルは、かかる投入移送傾斜通路181を介して、メダル投入口18の内部へ投入される。
【００９５】
なお、本実施の形態では、投入移送傾斜通路181は、上昇メダル排出口210からメダル投入口18へ連通して、遊技メダルが直接、メダル投入口18へ投入されるように形成されている。しかし、投入移送傾斜通路181は、上昇メダル排出口210から、メダルセレクター148へ直接、連通するように形成して、遊技メダルが、直接、メダルセレクター148へ投入されるように形成しても良いものである。また、投入移送傾斜通路181は、上昇メダル排出口210と、メダル投入口18からメダルセレクター148までの遊技メダルの経路の途中とを接続するように連通したものでも良いものである。すなわち、投入移送傾斜通路181が、スロットマシンSの内部に入り込むように形成されて、その投入移送傾斜通路181の先端部が、メダル投入口18とメダルセレクター148との間の経路の途中に接続するように形成されているものである。かかる場合も、その経路の途中に投入された遊技メダルは、かかる経路に沿って、メダルセレクター148まで案内されることとなる。
【００９６】
（リールユニット60）
上記リールユニット60は、図柄変動表示手段41であって、特に図示しないが枠体に固定或いは支持された三個のモータと、各々のモータの出力軸に固定された三個の回転リール40とから構成されている。そして、この回転リール40は、合成樹脂からなる回転ドラムと、この回転ドラムの周囲に貼付されるテープ状のリールテープ42とを備えている。このリールテープ42の外周面には、複数個（例えば２１個）の図柄61が表示されている。そして、回転リール40の一部に、いわゆるスタートインデックスが形成してある。そして、モータによる回転を開始した後、前記スタートインデックスを検知してからの回転角度を認識することで、現在位置を特定し、その後、所定角度で停止させることによって、停止制御が行われるものである。
【００９７】
（貯留払い出し手段65）
上記貯留払い出し手段65は、図示しないが、遊技の結果に基づいて、遊技者にメダルを払い出すためのものである。いわゆるホッパーユニットとも呼ばれるもので、上方に向かって開口するホッパー状の内部に遊技メダルを貯留可能なものである。そして、この貯留払い出し手段65は、下部に配置した回転円板により、１枚毎に遊技メダルを払い出し皿143へ払い出し可能なものである。
（報知装置66）
上記報知装置66は、遊技者に当選や入賞等を音や光や映像で報知させるためのものである。具体的には、報知装置66は、筐体111の上部に埋め込まれた左右２個のスピーカ67と、表示窓12の周囲縁に配置された５個の報知ランプ69とを備えているものである。そして、この報知装置66は、演出制御装置22の制御により、当選時や入賞時にスピーカ67から当選音や入賞音を発生させ、報知ランプ69を点灯又は点滅させることにより、遊技者に当選や入賞等を報知させるためのものである。
【００９８】
（クレジット数表示装置48）
上記クレジット数表示装置48は、図４に示すように、回転リール40の上方であって、図柄表示窓13の上方の表示窓12に形成されているものである。このクレジット数表示装置48は、クレジット数演算手段120からのクレジット数の数値データ信号が入力されることにより、現在のクレジット数を表示可能なものである。具体的には、このクレジット数表示装置48は、４個の７セグメントのＬＥＤからなり、００００から９９９９までの数値が表示可能なものである。
（経路中保留数表示装置46）
上記経路中保留数表示装置46は、図４に示すように、回転リール40の上方であって、図柄表示窓13の上方の表示窓12に形成されている。この経路中保留数表示装置46は、経路中保留数計測手段150からの経路中保留数Ｍの数値データ信号が入力されることにより、現在の経路中保留数Ｍを表示可能なものである。この経路中保留数表示装置46は、４個の７セグメントのＬＥＤからなり、００００から９９９９までの数値が表示可能なものである。この経路中保留数表示装置46は、移送経路130の内部に留まっている遊技メダルの枚数である経路中保留数Ｍの数値を遊技者に向かって報知することができる。
【００９９】
（合計クレジット数表示装置47）
上記合計クレジット数表示装置47は、図４に示すように、回転リール40の上方であって、図柄表示窓13の上方の表示窓12に形成されている。この合計クレジット数表示装置47は、クレジット数演算手段120からの合計クレジット数Ｑの数値データ信号が入力されることにより、合計クレジット数Ｑを表示可能なものである。この合計クレジット数表示装置47は、４個の７セグメントのＬＥＤからなり、００００から９９９９までの数値が表示可能なものである。この合計クレジット数表示装置47は、現在のクレジット数Ｐ及び経路中保留数Ｍを合計した遊技メダルの数としての合計クレジット数Ｑの数値を遊技者に向かって報知することができる。
【０１００】
（最大クレジット数表示装置49）
上記最大クレジット数表示装置49は、図４に示すように、回転リール40の上方であって、図柄表示窓13の上方の表示窓12に形成されている。この最大クレジット数表示装置49は、クレジット数演算手段120からの最大クレジット数Ｌの数値データ信号が入力されることにより、最大クレジット数Ｌを表示可能なものである。この最大クレジット数表示装置49は、４個の７セグメントのＬＥＤからなり、００００から９９９９までの数値が表示可能なものである。そして、この最大クレジット数表示装置49は、限界クレジット数Ｎ（具体的には、５０枚）から経路中保留数Ｍを減算した最大クレジット数Ｌを遊技者に向かって報知することができる。すなわち、この最大クレジット数表示装置49は、クレジット投入モードにおけるクレジット可能な遊技メダルの最大値を表示するものである。具体的には、例えば、限界クレジット数Ｎが５０枚に設定され、経路中保留数Ｍが５枚の場合、この最大クレジット数表示装置49には、最大クレジット数Ｌである４５枚の数値が表示される。これにより、遊技者は、クレジット投入モードにおけるクレジット可能な遊技メダルの最大枚数が、現在、４５枚であることを理解することができる。
【０１０１】
（遊技制御手段23）
上記遊技制御手段23は、通常遊技や、いわゆるボーナスゲーム等の特別遊技を制御するためのものである。
メダルの投入若しくはベットスイッチ16の投入を条件に、スタートスイッチ30を操作すると、リールユニット60が駆動され、三個の回転リール40が回転を開始する。その後、ストップスイッチ50の一個を操作すると、当該対応する回転リール40の回転が停止する。そして、ストップスイッチ50を三個全て操作し終わると、三個の回転リール40の回転が全て停止する。このとき、表示窓12の入賞有効ライン上に、予め設定された図柄61が停止すると、貯留払い出し手段65を介して所定枚数のメダルが払い出される。
【０１０２】
当選には、入賞した場合、遊技メダルの払い出しを伴い、遊技者に利益を付与する小役当選（この小役当選が入賞した場合は小役入賞となる）と、入賞した場合、この小役当選よりもさらに大きな利益を遊技者に付与する特別当選（この特別当選が入賞した場合は特別入賞となる）と、入賞した場合、遊技メダルの払い出しは無いが、遊技メダルを新たに投入することなく再度の遊技を行うことができる「再遊技（リプレイ、Replay）当選」（この再遊技当選が入賞した場合は再遊技入賞となる）の当選とを備えている。そして、その抽選結果がいずれかの当選となった場合（内部入賞とも言う。）、その当選に対応した当選フラグが成立する。そして、抽選結果が特別当選である場合に、特別当選の当選フラグが成立し、この特別当選の当選フラグ成立中に、リールユニット60の回転リール40の停止図柄61の組み合わせが、予め定められた所定の当選図柄61（例えば、入賞有効ライン上に「７」が三個揃うもの）と一致したことを条件に入賞し、遊技者に有利な特別遊技を行わせるように形成されている。そして、抽選により特別当選フラグが成立したが、回転リール40の停止図柄61の組み合わせが当選図柄61と一致していない場合、それ以後の遊技に当選フラグ成立の権利が持ち越されるように設定されている。なお、小役当選の当選フラグは、当選フラグが成立した遊技で入賞させられない場合、当選フラグ成立の権利の次の遊技への持ち越しはない。
【０１０３】
本実施の形態では、停止制御として、停止テーブルを使用している。このため、いずれかの当選フラグが成立中に、対応する当選図柄61を入賞有効ライン上に揃えることができるか否かは、選択した停止テーブル上に予め記載されている２１個の図柄に対応する各停止操作位置（Ｎｏ０〜Ｎｏ２０）でのすべりコマ数により決定されるものである。例えば、右側回転リール45での基準位置での停止操作位置がＮｏ６であるとき、選択された停止テーブルのＮｏ６の位置のすべりコマ数には３が予め設定されているとする。かかる場合、その基準位置には、Ｎｏ６の図柄から３コマだけ回転移動してＮｏ３の図柄の例えば、青セブンの図柄が停止することとなるものである。このように、停止テーブルには、各停止操作位置（Ｎｏ０〜Ｎｏ２０）でのすべりコマ数が予め設定されてあり、当選の場合の停止テーブルのように、各当選役が当選しているときの停止テーブルや、ハズレの場合の停止テーブルが予め用意されてあり、当選抽選手段110の抽選結果によって、所定の停止テーブルが選択されるものである。
【０１０４】
なお、ここで、「当選役」とは、各回転リール40で予め定めた入賞図柄の組み合わせを意味するものであって、入賞となる入賞態様の総称を意味するものである。具体的には、当選役とは、例えば、左、中、右の回転リール40の所定の入賞有効ライン上の停止図柄が、それぞれ青セブン、青セブン、青セブンとなることにより、入賞となるような入賞図柄の組み合わせ（入賞態様）を意味するものである。
（当選抽選手段110）
上記当選抽選手段110は、予め定めた当選率に基づいて当選か否かの当選判定の抽選を行うものである。そして、当選抽選手段110による抽選結果が当選である場合（内部入賞とも言う。）に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
【０１０５】
上記当選抽選手段110は、図３に示すように、大別すると、次の手段を備える。
（１）当選乱数発生手段111
（２）当選乱数抽出手段112
（３）当選判定テーブル113
（４）当選判定手段114
なお、当選抽選手段110としては、上記した（１）乃至（４）に限定されるものではない。
（当選乱数発生手段111）
上記当選乱数発生手段111は、抽選用の乱数を所定の領域内（例えば十進数で０乃至６５５３５）で発生させるものである。
【０１０６】
なお、ここで、「当選乱数発生手段」には、ソフト乱数としての平均採中法（ｎ桁の数字を２乗して中央のｎ桁の数を取り出すことの繰り返しによる乱数発生方法）等で乱数を発生させることができるものや、一定範囲の数字を高速で１ずつ加算するカウンタを用いて構成するものがある。例えば、０乃至６５５３５の範囲の数字を、１秒間に数百万回程度順次繰り返すようにしたカウンタが考えられる。そして、「当選乱数抽出手段」としては、スタートスイッチを押したタイミングでカウンタの数字を読みとることとなる。このように形成すると、「当選乱数発生手段」では乱数を発生しているわけではないものの、「当選乱数抽出手段」によって抽出される数字は、あたかも乱数のような分布となるものである。このように結果として乱数のような分布を示す数字が得られる手段を、ここでは、「当選乱数発生手段」或いは「当選乱数抽出手段」に含めて考えるものである。
【０１０７】
（当選乱数抽出手段112）
上記当選乱数抽出手段112は、当選乱数発生手段111が発生する乱数を、スタートスイッチ30からのスタート操作信号の入力を契機として、抽出するものである。なお、この抽出した乱数を抽出乱数データとする。
前記当選乱数抽出手段112は、遊技期間中、抽出した抽出乱数データを、即時に当選判定手段へ出力する。しかし、当選乱数抽出手段112は、遊技終了後、クレジット数Ｐに加算用の遊技メダルを自動投入手段140により自動投入している期間中、スタート操作信号の入力を契機に抽出した前記抽出乱数データを、当選判定手段114へ出力せずに、一旦、記憶して保持する。そして、当選乱数抽出手段112は、かかるクレジット数Ｐへの加算用の自動投入が終了した後、前記抽出乱数データを当選判定手段114へ出力する。
【０１０８】
なお、ここで、本実施の形態に係る当選乱数抽出手段112は、当選乱数発生手段111が発生する乱数を、スタートスイッチ30からのスタート操作信号の入力を契機として、抽出するが、これは、スタートスイッチ30からのスタート操作信号の入力タイミングを、直接的に利用して、乱数を抽出しているものである。しかし、当選乱数抽出手段112は、上述したものに限定されるものではなく、スタートスイッチ30からのスタート操作信号の入力タイミングを、間接的に利用して、乱数を抽出するようにしても良い。
すなわち、スタート操作信号の入力タイミングによって、回転リール40を回転し、この回転する回転リール40からの、いわゆるインデックス信号の発生に基づいて、当選乱数発生手段111から、乱数を採取するようなものでも良いものである。これは、スタートスイッチ30からのスタート操作信号の入力タイミングを、間接的に利用して、乱数を抽出するものである。具体的には、スタートスイッチ30からのスタート操作信号の入力を契機として、回転リール40が回転し、これにともなって発生するインデックス信号の発生タイミングを契機として、当選乱数発生手段111から、乱数を採取するものである。
【０１０９】
更に、具体的に説明すると、回転リール40の一部から外方に向かって突出する、いわゆるスタートインデックスを設ける。このスタートインデックスは、回転リール40の回転にともなって回転移動するものである。そして、このスタートインデックスの動線を跨ぐような位置にＬＥＤと、フォトトランジスタとからなる光センサーを配置し、スタートインデックスの移動によりＬＥＤの光を遮断し、スタートインデックスの移動を検知したインデックス信号を出力するものである。そして、上述したスタートスイッチ30からのスタート操作信号の入力によって、回転リール40が回転を開始し、かかるスタートインデックスの移動を検知したタイミング（インデックス信号の発生）を契機として、当選乱数発生手段111から乱数を採取するようなものでも良いものである。
【０１１０】
（当選判定テーブル113）
上記当選判定テーブル113は、当選乱数発生手段111がとる乱数の全領域中、各当選項目の当選領域を有するものである。
（当選判定手段114）
上記当選判定手段114は、当選乱数抽出手段112からの抽出乱数データが属する当選領域に対応する当選を決定するものである。
前記当選判定手段114は、当選乱数抽出手段112が抽出した抽出乱数データ（例えば十進数で３５４）と、当選判定テーブル113の当選率データ（例えば、当選役Ａの当選１００、当選役Ｂの当選４００等の数値）を基に当選乱数発生手段111がとる乱数の全領域中（０〜６５５３５）の各当選項目の当選領域からなる当選判定領域データ（例えば当選役Ａが０〜９９、当選役Ｂが１００〜４９９、当選役Ｃが５００〜１４９９、当選役Ｄが１５００〜４９９９、当選役Ｅ（外れ）が５０００〜６５５３５等のような数値データ）とを照合し、当該抽出乱数データが属する当選領域（上記例では、抽出乱数データ３５４は、当選役Ｂの領域１００〜４９９の当選領域に含まれる。）に対応する当選を決定する。すなわち、上記例では当選役Ｂに当選している。
【０１１１】
（クレジット数演算手段120）
上記クレジット数演算手段120は、貯留払い出し手段65に投入された遊技メダルを予め定めた最大クレジット数Ｌを限度にクレジット数Ｐとしてカウントするとともに、ベットスイッチ16の操作に基づいて、クレジット数Ｐから所定数の遊技メダル数を減じて、新たなクレジット数Ｐとして記憶するためのものである。
ここで、クレジット数演算手段120は、最大クレジット数Ｌを、最大クレジット数算出手段123から採取するものである。なお、ここで、最大クレジット数Ｌは、限界クレジット数Ｎ（具体的には、５０枚）から経路中保留数Ｍを減算した数値として最大クレジット数算出手段123により算出されるものである。
【０１１２】
具体的には、クレジット数演算手段120は、遊技者がメダル投入口18から遊技メダルを１枚、投入した場合、クレジット数Ｐが最大クレジット数Ｌに到達するまでは、クレジット数Ｐに１を加算するものである。
また、クレジット数演算手段120は、ベットスイッチ16が操作されて、１枚のクレジットメダルを１枚の投入メダルに代える場合、クレジット数Ｐから１を減算して、その減算した結果の数値を新たなクレジット数Ｐとするものである。なお、１回の押下により３枚の投入メダルの投入に代えることができる、いわゆるマックスベットスイッチが操作された場合には、上述した１枚の投入メダルの投入が、３回、自動的に行われるものである。また、１枚ベットスイッチ19が操作された場合には、上述した１枚の投入メダルの投入が、１回行われるものである。
【０１１３】
そして、クレジット数演算手段120は、上述したような演算が行われた結果、新たなクレジット数Ｐを内部に記憶するものである。
前記クレジット数演算手段120は、最大クレジット数算出手段123から最大クレジット数Ｌを採取するものである。そして、クレジット数演算手段120は、遊技中、最大クレジット数Ｌを超える枚数の遊技メダルが投入されてもクレジット数Ｐを最大クレジット数Ｌ以上に設定することはなく、投入された遊技メダルは払い出し皿143へ直接排出されるように設定されている。
前記クレジット数演算手段120は、前回の遊技終了後、クレジット数Ｐに加算のための自動投入処理が終了するまでは、自動投入された遊技メダルは、全てクレジット数Ｐに加算のための遊技メダルとしてカウントする。そして、上述したクレジット数Ｐに加算のための遊技メダルの自動投入処理が終了した後、自動投入スイッチ141の操作に基づいて自動投入された遊技メダルや、遊技者自らの手でメダル投入口18へ投入した遊技メダルや、ベットスイッチ16の操作に基づき投入された遊技メダルは、遊技開始の条件としての遊技メダルとして認識される。
【０１１４】
（合計クレジット数算出手段121）
上記合計クレジット数算出手段121は、現在のクレジット数Ｐ及び経路中保留数Ｍを合計した遊技メダルの枚数を、遊技機全体の内部に保留している合計クレジット数Ｑとして、算出するためのものである。これは、移送経路130の途中に留まっている遊技メダルも、メダル投入口18へ投入されるものであって、実質的には、クレジットされている遊技メダルと略同様の性質を有するものである。このため、現在のクレジット数Ｐと経路中保留数Ｍとを合計した合計クレジット数Ｑを、実質的にクレジットされている遊技メダルの枚数と考えて、合計クレジット数Ｑとして算出しているものである。
【０１１５】
（限界クレジット数記憶手段122）
上記限界クレジット数記憶手段122は、合計クレジット数Ｑの予め定めた最大限度となる限界クレジット数Ｎを記憶しているものである。この限界クレジット数Ｎは、予め設定されているものであって、原則として、変動させずに、所定の値に設定されているものである。本実施の形態では、限界クレジット数Ｎは５０枚に設定されている。この限界クレジット数Ｎは、合計クレジット数Ｑの最大値を設定しているものであって、実質的にクレジットされている遊技メダルの最大枚数を規定するものである。
（最大クレジット数算出手段123）
上記最大クレジット数算出手段123は、限界クレジット数Ｎから経路中保留数Ｍを減算した数を、クレジット投入モードにおけるクレジット可能な遊技メダル数の最大値である最大クレジット数Ｌとして算出するためのものである。この最大クレジット数Ｌは、限界クレジット数Ｎから経路中保留数Ｍを減算した数値、すなわち、Ｌ＝Ｎ−Ｍにより算出されるものである。この最大クレジット数Ｌは、現在のクレジット数Ｐの最大値を規定しているものである。
【０１１６】
（操作記憶手段160）
上記操作記憶手段160は、ベットスイッチ16からのベット操作信号の入力を記憶してクレジット数演算手段120へ出力するものである。
具体的には、前記操作記憶手段160は、遊技期間中は、入力されたベット操作信号を、即時にクレジット数演算手段120へ出力する。しかし、操作記憶手段160は、当該遊技終了後、クレジット数Ｐに加算用の遊技メダルを自動投入手段140により自動投入している期間中は、ベットスイッチ16からのベット操作信号の入力を、即時にクレジット数演算手段120へ出力せずに、一時的に記憶保持した状態となる。そして、操作記憶手段160は、かかるクレジット数Ｐへの加算用の自動投入が終了した後、ベット操作信号をクレジット数演算手段120へ出力することにより、ベットスイッチ16の操作を有効化するものである。
【０１１７】
この操作記憶手段160は、当該遊技と、当該遊技が終了して次の遊技が開始するまでの間、すなわち、自動投入手段140によりクレジット数Ｐに加算するための遊技媒体が投入されている間に、ベットスイッチ16が操作された場合のベット操作信号を、有効なものとせずに、一時的に保存する、いわゆるバッファーとしての役割を担うものである。そして、かかる自動投入手段140によるクレジット数Ｐに加算するための遊技媒体の投入が終了した後、次の遊技が開始可能となった状態において、操作記憶手段160は、ベット操作信号をクレジット数演算手段120へ出力して、ベットスイッチ16の操作を有効化するものである。このため、かかる投入処理期間中の遊技者によるベットスイッチ16の操作が、無視されることなく、無駄にならない。これにより、遊技者が遊技進行を急ぐあまり、誤って、かかる期間中にベットスイッチ16を操作しても、かかる操作を永久に無効なものとせずに、一旦、保持した後、当該期間終了後に有効なものとしている。したがって、かかる期間終了後に、再度、当該操作を繰り返し行う必要がなく、遊技の操作を簡単なものにすることができる。
【０１１８】
また、操作記憶手段160は、スタートスイッチ30からのスタート操作信号の入力を記憶して図柄変動表示手段41としてのリールユニット60へ出力するものである。
具体的には、前期操作記憶手段160は、遊技期間中は、入力されたスタート操作信号を、即時に図柄変動表示手段41へ出力する。しかし、操作記憶手段160は、当該遊技終了後、クレジット数Ｐに加算用の遊技メダルを自動投入手段140により自動投入している期間中は、ストップスイッチ50からのスタート操作信号の入力を即時に図柄変動表示手段41へ出力せずに、一時的に記憶した状態となる。そして、操作記憶手段160は、かかるクレジット数Ｐへの加算用の自動投入が終了した後、スタート操作信号を図柄変動表示手段41へ出力することにより、スタートスイッチ30の操作を有効化するものである。
【０１１９】
この操作記憶手段160は、当該遊技と、当該遊技が終了して次の遊技が開始するまでの間、すなわち、自動投入手段140によりクレジット数Ｐに加算するための遊技媒体が投入されている間に、スタートスイッチ30が操作された場合のスタート操作信号を、一時的に保存する、いわゆるバッファーとしての役割を担うものである。そして、かかる自動投入手段140によるクレジット数Ｐに加算するための遊技媒体の投入が終了した後、次の遊技が開始可能となった状態において、操作記憶手段160は、スタート操作信号を遊技制御手段23へ出力して、スタートスイッチ30の操作を有効化するものである。
このため、当該期間中の遊技者のスタートスイッチ30の操作が、無視されることなく、無駄にならない。これにより、遊技者が誤って、かかる期間中にスタートスイッチ30を操作しても、当該期間終了後に、再度、当該操作を繰り返し行う必要がなく、遊技の操作を簡単なものにすることができる。
【０１２０】
（入賞演出データ記憶手段25）
上記入賞演出データ記憶手段25は、報知装置66等の演出データを記憶するためのものである。具体的には、例えば、入賞時の表示装置66のスピーカ67から発生させるサウンドや、報知ランプ69の点灯、点滅の時間や順序等のデータ等が記憶されているものである。もちろん、記憶する演出内容は、これらに限定されるものではなく、予め記憶された音声や、振動や、他のランプの点灯等の種々の報知手段によるものでも良いものである。
（入賞演出制御手段26）
上記入賞演出制御手段26は、入賞演出データ記憶手段25からの各演出データを、制御装置20等からの制御信号に基づいて、報知装置66等に出力し、かかる装置を制御するためのものである。
【０１２１】
（遊技機10の動作）
次に、上記構成を備えた遊技機の通常遊技の動作の概略について、図１０乃至図１３に示したフローを用いて説明する。
先ず、図１０に示すステップ１０１において、遊技開始の条件としての遊技メダルの投入処理が行われる。そして、次のステップ１０２に進む。
ステップ１０２において、経路中保留数Ｍ、現在のクレジット数Ｐ、合計クレジット数Ｑ及び最大クレジット数Ｌの算出処理が行われる。そして、次のステップ１０３に進む。
ステップ１０３において、スタートスイッチ30の操作が行われたか否かが判定される。具体的には、スタートスイッチ30からのスタート操作信号が操作記憶手段160に記憶されているか、或いは操作記憶手段160を経由してスタート操作信号が出力されているか否かが判定されるものである。そして、スタートスイッチ30の操作が行われていると判定された場合、次のステップ１０４に進む。
【０１２２】
ステップ１０４において、スタートスイッチ30が操作されていることにより、スタートスイッチ30がＯＮとなる。そして、次のステップ１０５に進む。
ステップ１０５において、当選抽選手段110により抽選処理が行われる。そして、次のステップ１０６に進む。
ステップ１０６において、回転リール40の回転が開始する。そして、次のステップ１０７に進む。
ステップ１０７において、ストップスイッチ50が操作されることにより、ストップスイッチ50がＯＮとなる。そして、次のステップ１０８に進む。
【０１２３】
ステップ１０８において、回転リール40の回転停止処理が行われる。具体的には、当選抽選手段110の抽選結果、選択された停止テーブルに基づいて、ストップスイッチ50の押下タイミングにより、停止位置が決定されるものである。なお、ここで、停止テーブルとは、各図柄位置でストップスイッチ50を操作した場合に所定の基準位置から停止するまでのコマ数（図柄数）が、回転リール40の２１個の図柄位置のそれぞれに対して設定されているものである。この停止テーブルは、各抽選結果に対応した複数のものが予め設定されているものであり、当選抽選手段110の抽選結果により所定の停止テーブルのうちから選択されるものである。そして、次のステップ１０９に進む。
【０１２４】
ステップ１０９において、三個の回転リール40に対応するストップスイッチ50の操作が行われたか否かが判定される。そして、三個の回転リール40に対応するストップスイッチ50の操作が行われたと判定された場合、次のステップ１１０に進む。
ステップ１１０において、入賞したか否かが判定される。そして、入賞したと判定された場合、次のステップ１１１に進む。
ステップ１１１において、入賞図柄に相当する枚数の遊技メダルが、貯留払い出し手段65により払い出し皿143へ払い出される。そして、遊技が終了する。
前記ステップ１０３において、スタートスイッチ30の操作が行われていないと判定された場合、ステップ１０１に戻る。
【０１２５】
前記ステップ１０９において、三個の回転リール40に対応するストップスイッチ50の操作が行われていないと判定された場合、ステップ１０７に戻る。
前記ステップ１１０において、入賞していないと判定された場合、ステップ１１１を飛び越して、遊技が終了する。
上述したステップ１０１の遊技開始の条件としての遊技メダルの投入処理について、図１１のフローを用いて説明する。
ステップ３００において、クレジットメダルが有るか否か、すなわち遊技機10内部にクレジットした遊技メダルのクレジット数Ｐが１以上であるか否かが判定される。そして、クレジットされた遊技メダルが無い、すなわちクレジット数Ｐが０であると判定された場合、次のステップ３０１に進む。
【０１２６】
ステップ３０１において、遊技メダルがメダル投入口18から直接、投入されたか否かが判定される。そして、遊技メダルがメダル投入口18から直接、投入されたと判定された場合、次のステップ３０２に進む。
ステップ３０２において、投入メダル数が上限値であるか否か、すなわち今回、遊技メダルが投入される直前の投入メダルの枚数が、投入メダルの最大枚数である３枚で有るか否かが判定される。そして、直前の投入メダル数が上限値の３枚であると判定された場合、次のステップ３０４に進む。
ステップ３０４において、クレジット数Ｐが、最大クレジット数Ｌ未満であるか否かが判定される。そして、クレジット数Ｐが、最大クレジット数Ｌ未満であると判定された場合、次のステップ３０５に進む。
【０１２７】
ステップ３０５において、クレジット演算手段120により、投入されたメダル枚数が、クレジット数Ｐへ加算される。そして、メダル投入処理が終了する。
前記ステップ３０１において、遊技メダルがメダル投入口18から直接、投入されていないと判定された場合、メダル投入処理が終了する。
前記ステップ３０２において、直前の投入メダル数が上限値である３枚ではないと判定された場合、次のステップ３０３に進む。
ステップ３０３において、投入された遊技メダルを投入メダルとして設定する。すなわち、投入された遊技メダルの枚数を、投入メダルの枚数として加算し、その加算した枚数を、現在の投入メダル数として設定する。そして、メダル投入処理が終了する。
【０１２８】
前記ステップ３０４において、クレジット数Ｐが、最大クレジット数Ｌ未満でないと判定された場合、すなわち、クレジット数Ｐが、最大クレジット数Ｌであると判定された場合、次のステップ３０６に進む。
ステップ３０６において、今回、投入された遊技メダルは、遊技機10内部にクレジットされずに、払い出しメダル皿64へ戻される。
前記ステップ３００において、クレジットメダルが有ると判定された場合、次のステップ３０７に進む。
ステップ３０７において、ベットスイッチ16が遊技者により操作されてＯＮ状態となったか否かが判定される。具体的には、操作記憶手段160にベット操作信号が記憶されているか、或いは、操作記憶手段160からベット操作信号が出力されたか否かが判定される。そして、ベットスイッチ16が操作されていると判定された場合、次のステップ３０８に進む。
【０１２９】
ステップ３０８において、投入メダル数が上限値であるか否か、すなわち今回、遊技メダルが投入される直前の投入メダルの枚数が、投入メダルの最大枚数である３枚で有るか否かが判定される。そして、直前の投入メダル数が上限値の３枚でないと判定された場合、次のステップ３０９に進む。
ステップ３０９において、ベットスイッチ16によりクレジットメダルから投入された遊技メダルを投入メダルとして設定する。すなわち、ベットスイッチ16により投入された遊技メダルの枚数を、投入メダルの枚数として加算し、その加算した枚数を、現在の投入メダル数として設定する。そして、次のステップ３１０に進む。
【０１３０】
ステップ３１０において、クレジット演算手段120により、クレジット数Ｐからベットスイッチ16により投入メダルへ代えられた枚数を減算して、その減算した結果を新たなクレジット数Ｐとして設定する。そして、メダル投入処理が終了する。
前記ステップ３０７において、ベットスイッチ16が操作されていないと判定された場合、ステップ３０１に進む。
前記ステップ３０８において、直前の投入メダル数が上限値の３枚であると判定された場合、メダル投入処理は終了する。
上述したステップ１０２の経路中保留数Ｍ、現在のクレジット数Ｐ、合計クレジット数Ｑ及び最大クレジット数Ｌの算出処理について、図１２のフローを用いて説明する。
【０１３１】
ステップ４００において、経路中保留数Ｍを計測する。具体的には、経路中保留数計測手段150により、入り口センサー151が検知した遊技メダルの枚数から出口センサー152が検知した遊技メダルの枚数を減算したものを、経路中保留数Ｍとして算出する。そして、次のステップ４０１に進む。
ステップ４０１において、クレジット数演算手段120により、現在のクレジット数Ｐが取得される。そして、次のステップ４０２に進む。
ステップ４０２において、合計クレジット数Ｑが、現在のクレジット数Ｐと、経路中保留数Ｍとを合計した遊技メダルの数を、遊技機全体の内部に保留している合計クレジット数Ｑとして算出する。すなわち、Ｑ＝Ｐ＋Ｍにより算出されるものである。そして、次のステップ４０３に進む。
【０１３２】
ステップ４０３において、最大クレジット数算出手段123が、限界クレジット数記憶手段122に予め記憶された限界クレジット数Ｎを、取得する。そして、次のステップ４０４に進む。
ステップ４０４において、最大クレジット数算出手段123が、限界クレジット数Ｎから経路中保留数Ｍを減算した枚数（Ｌ＝Ｎ−Ｍ）を、最大クレジット数Ｌとして算出する。この最大クレジット数Ｌは、クレジット投入モードにおけるクレジット可能な遊技メダルの最大枚数を意味するものである。そして、次のステップ４０５に進む。
ステップ４０５において、経路中保留数Ｍ、現在のクレジット数Ｐ、合計クレジット数Ｑ及び最大クレジット数Ｌが、表示される。具体的には、クレジット数表示装置48が、現在のクレジット数Ｐの数値を遊技者に向かって表示する。また、経路中保留数表示装置46が、経路中保留数Ｍの数値を遊技者に向かって表示する。また、合計クレジット数表示装置47が、合計クレジット数Ｑの数値を遊技者に向かって表示する。また、最大クレジット数表示装置49が、最大クレジット数Ｌの数値を遊技者に向かって表示する。そして、経路中保留数Ｍ、現在のクレジット数Ｐ、合計クレジット数Ｑ及び最大クレジット数Ｌの算出処理が終了する。
【０１３３】
上述したステップ１０５の当選抽選処理について、図１３のフローを用いて説明する。
ステップ５００において、当選抽選手段110の当選乱数発生手段111により発生された乱数の中から当選乱数抽出手段112により乱数が抽出乱数データとして抽出される。
なお、前回遊技終了後、クレジット数Ｐに加算用の遊技メダルの投入処理期間中に、スタートスイッチ30が操作され、抽出乱数データが既に抽出されている場合には、当該抽出乱数データが、使用されるように設定されている。そして、次のステップ５０１に進む。
ステップ５０１において、抽出された乱数が当選乱数抽出手段112の内部に記憶される。そして、次のステップ５０２に進む。
【０１３４】
ステップ５０２において、当選判定手段114により、抽出された乱数と、当選判定テーブル113の当選判定領域データとの比較が行われる。そして、次のステップ５０３に進む。
ステップ５０３において、当選判定手段114により、抽出された乱数が、当選判定テーブル113のどの当選領域に含まれるか決定され、当選抽選処理の評価が決定される。そして、当選抽選処理の評価に対応した停止テーブルが選択される。そして、当選抽選処理が終了する。この停止テーブルは、上述したようにストップスイッチ50の停止操作タイミングに基づいて、それぞれ何個の図柄数だけ移動して回転リール40を停止させるかのデータを記録しているものであって、回転リール40上の２１個の各図柄位置の所定位置でストップスイッチ50が操作されたときの移動図柄数を記録しているものである。
【０１３５】
次に、連続した複数回の遊技の流れについて、図１４のフローを用いて説明する。
先ず、ステップ６００において、第１回目の遊技が行われる。そして、次のステップ６０１に進む。
ステップ６０１において、クレジット数Ｐに加算用の遊技メダルの投入処理が行われる。そして、次のステップ６０２に進む。
ステップ６０２において、第２回目の遊技が行われる。そして、次のステップ６０３に進む。
ステップ６０３において、クレジット数Ｐに加算用の遊技メダルの投入処理が行われる。そして、次のステップ６０４に進む。
【０１３６】
ステップ６０４において、第３回目の遊技が行われる。そして、次のステップ６０５に進む。
ステップ６０５において、クレジット数Ｐに加算用の遊技メダルの投入処理が行われる。そして、次のステップに進む。
上述したステップが繰り返し行われ、ステップ７０１において、第Ｋ回目の遊技が行われる。そして、次のステップ７０２に進む。
ステップ７０２において、クレジット数Ｐに加算用の遊技メダルの投入処理が行われる。そして、複数回の連続した遊技が終了する。
【０１３７】
上述したように、複数回の遊技の間に、クレジット数Ｐに加算用の遊技メダルの投入処理が行われるものである。
次に、クレジット数Ｐに加算用の遊技メダルの投入処理について、図１５のフローを用いて説明する。
先ず、ステップ８００において、クレジット数演算手段120により、クレジット数Ｐが最大クレジット数Ｌ未満（Ｐ＜Ｌ）であるか否かが判定される。そして、クレジット数Ｐが最大クレジット数Ｌ未満であると判定された場合、次のステップ８０１に進む。
ステップ８０１において、経路中保留数Ｍが有るか否か、すなわち経路中保留数Ｍが１以上であるか否かが判定される。そして、経路中保留数Ｍが有ると、すなわち、経路中保留数Ｍが１以上であると判定された場合、次のステップ８０２に進む。
【０１３８】
ステップ８０２において、前回遊技が終了してから、クレジット数Ｐに加算用の遊技メダルの投入処理期間中に、ベットスイッチ16が操作されたか否かが判定される。そして、かかる期間中に、ベットスイッチ16が操作されていると判定された場合、次のステップ８０３に進む。
ステップ８０３において、ベットスイッチ16からのベット操作信号が、操作記憶手段160に記憶保持される。そして、次のステップ８０４に進む。
ステップ８０４において、前回遊技が終了してから、クレジット数Ｐに加算用の遊技メダルの投入処理期間中に、スタートスイッチ30が操作されているか否かが判定される。そして、かかる期間中に、スタートスイッチ30が操作されていると判定された場合、次のステップ８０５に進む。
【０１３９】
ステップ８０５において、スタートスイッチ30から出力されたスタート操作信号が当選乱数抽出手段112へ入力される。そして、この当選乱数抽出手段112が、かかるスタート操作信号の入力を契機として、当選乱数発生手段111が発生した乱数を、抽乱数データとして抽出する。そして、この抽出した抽出乱数データは、そのまま、当選乱数抽出手段112の内部に記憶保持される。なお、当該投入処理期間中に複数回、当該ステップが行われる場合、前回の抽出乱数データは、最新の抽出乱数データに書き換えられるように設定されている。
また、スタートスイッチ30から出力されたスタート操作信号が操作記憶手段160に入力される。そして、操作記憶手段160は、かかるスタート操作信号を内部に記憶保持する。そして、次のステップ８０６に進む。
【０１４０】
ステップ８０６において、移送経路130中に保留されている遊技メダルから１枚、自動投入手段140によりメダル投入口18へ投入される。これにより、現在のクレジット数Ｐに１が加算され、（Ｐ＋１）枚の数値が、現在の新たなクレジット数Ｐとして認識される。なお、その際、経路中保留数Ｍは、下部送り出し円板234により、遊技メダルが移送経路130内部へ連続して補填されていれば、経路中保留数Ｍの枚数は、投入されても、変わらずＭ枚となる。一方、下部送り出し円板234により、遊技メダルが移送経路130内部へ連続して補填されていない状態であれば、経路中保留数Ｍは、１枚、メダル投入口18へ投入されることにより、１枚減って、（Ｍ−１）枚となる。そして、かかる（Ｍ−１）枚が、新たな経路中保留数Ｍとして認識されるものである。そして、次のステップ８０７に進む。
【０１４１】
ステップ８０７において、上述したようにクレジット数Ｐが変化したことにより、経路中保留数Ｍ、現在のクレジット数Ｐ、合計クレジット数Ｑ及び最大クレジット数Ｌの算出処理が行われる。そして、次のステップ８０８に進む。
ステップ８０８において、クレジット数Ｐが最大クレジット数Ｌに到達したか否か、すなわちＰ＝Ｌが成立したか否かが判定される。そして、クレジット数Ｐが最大クレジット数Ｌに到達している（Ｐ＝Ｌである）と判定された場合、クレジット数Ｐに加算用の遊技メダルの投入処理が終了する。
前記ステップ８００において、クレジット数Ｐが最大クレジット数Ｌ未満でない、すなわちクレジット数Ｐが最大クレジット数Ｌ以上であると判定された場合、当該投入処理は終了する。
【０１４２】
前記ステップ８０１において、経路中保留数Ｍが無いと、すなわち、経路中保留数Ｍが０枚であると判定された場合、当該投入処理は終了する。
前記ステップ８０２において、クレジット数Ｐに加算用の遊技メダルの投入処理期間中に、ベットスイッチ16が操作されていないと判定された場合、次のステップ８０４に進む。
前記ステップ８０４において、クレジット数Ｐに加算用の遊技メダルの投入処理期間中に、スタートスイッチ30が操作されていないと判定された場合、次のステップ８０６に進む。
【０１４３】
前記ステップ８０８において、クレジット数Ｐが最大クレジット数Ｌに到達していない（Ｐ＝Ｌでない）と判定された場合、ステップ８００に戻る。
なお、ここで、ステップ８０７の算出処理は、図１２で説明したステップ４００乃至ステップ４０５のフローと同一であるため、説明を省略する。
上述したフローとして、例えば、経路中保留数Ｍが５枚に設定され、投入皿231内部に常に遊技メダルが補填されるような状態の場合、経路中保留数Ｍは、常に５枚を維持することができる。そして、限界クレジット数Ｎが５０枚に設定されているような場合、最大クレジット数Ｌは、Ｌ＝Ｎ−Ｍとなり、最大クレジット数Ｌ＝４５枚となる。そして、現在のクレジット数Ｐが４２枚であるような場合、自動投入手段140により１枚の遊技メダルが、クレジットメダルとして投入される（ステップ８０６）。これにより、クレジット数Ｐは、Ｐ＝４２＋１＝４３枚となる。そして、Ｐ＜Ｌであるため、さらに、自動投入手段140により１枚の遊技メダルが投入され、Ｐ＝４３＋１＝４４枚となる。そして、まだ、Ｐ＜Ｌであるため、さらに、自動投入手段140により、遊技メダルが、クレジット数Ｐに加算され、Ｐ＝４４＋１＝４５枚となる。これにより、Ｐ＝Ｌとなり、クレジット数Ｐは、最大クレジット数Ｌの４５枚に到達し、当該投入処理が終了するものである。
【０１４４】
また、遊技媒体の投入を条件として遊技が開始可能となる当該遊技機10に対して、遊技媒体を直接投入して遊技を実行する媒体直接投入モードと、遊技媒体を予め投入して遊技機10内部に電子データとして記憶されたクレジット数Ｐから所定数の遊技媒体数を減じて遊技開始の条件となる遊技媒体の投入に代えることが可能なクレジット投入モードとの両方を実行可能な遊技機用プログラムであって、前記遊技機10を、投入した遊技媒体を貯留するとともに遊技者に向かって払い出し可能な貯留払い出し手段65、前記貯留払い出し手段65から払い出された遊技媒体を貯留するための貯留受け手段、前記遊技機10内部へ自動投入するための遊技媒体を貯留可能な投入受け手段、前記投入受け手段内部の遊技媒体を遊技機10内部に自動的に投入するために前記投入受け手段から前記遊技機10内部へ連通する移送経路手段、前記移送経路手段を介して前記投入受け手段内部の遊技媒体を遊技機10内部へ移動させるための自動投入手段140、前記移送経路手段の内部に保留している遊技媒体の数を経路中保留数Ｍとして計測可能な経路中保留数計測手段150、現在のクレジット数Ｐ及び前記経路中保留数Ｍを合計した遊技媒体の数を、遊技機10全体の内部に保留している合計クレジット数Ｑとして、算出するための合計クレジット数算出手段121、前記合計クレジット数Ｑの予め定めた最大限度となる限界クレジット数Ｎを記憶する限界クレジット数記憶手段122、前記限界クレジット数Ｎから前記経路中保留数Ｍを減算した数を、前記クレジット投入モードにおけるクレジット可能な遊技媒体数の最大値である最大クレジット数Ｌとして算出する最大クレジット算出手段、現在のクレジット数Ｐからなる前記遊技機10内部にクレジットした遊技媒体を遊技開始の条件となる遊技媒体の投入に代えるためのベット手段、前記貯留払い出し手段65に投入された遊技媒体を前記最大クレジット数Ｌを限度にクレジット数Ｐとしてカウントするとともに、前記ベット手段の操作に基づいて、クレジット数Ｐから所定数の遊技媒体数を減じて、新たなクレジット数Ｐとするためのクレジット数演算手段120として機能させるための遊技機用プログラムによって制御することができる。
【０１４５】
なお、この遊技機用プログラムは、遊技媒体の投入を条件として遊技が開始可能となる遊技機10に対して、遊技媒体を直接投入して遊技を実行する媒体直接投入モードと、遊技媒体を予め投入して遊技機10内部に電子データとして記憶されたクレジット数Ｐから所定数の遊技媒体数を減じて遊技開始の条件となる遊技媒体の投入に代えることが可能なクレジット投入モードとの両方を実行可能なものである。
また、この遊技機10は、上述した遊技機用プログラムを記録したコンピュータ読み取り可能な記録媒体を用いて制御することもできる。
また、この遊技機用プログラムを用いて業務用或いは家庭用テレビゲーム機等を制御しようとする場合には、現実の遊技メダルの払い出しを行い得ないので、例えば、液晶ディスプレイやＣＲＴ等の画像表示装置に遊技メダルの枚数を増やすような画像を表示するように形成することができる。
【０１４６】
上述した実施の形態では、限界クレジット数Ｎだけが、５０枚に固定され、その他の経路中保留数Ｍ、クレジット数Ｐ、合計クレジット数Ｑ及び最大クレジット数Ｌは、変動するように設定されていた。そして、それらの値が変動しながらも、遊技機10内部に実質的にクレジットされている実質的な合計クレジット数Ｑ（Ｑ＝Ｐ＋Ｍ）が、限界クレジット数Ｎを超えないように設定されているものである。しかし、このように、限界クレジット数Ｎだけを固定するものに限定されるものではない。具体的には、例えば、最大クレジット数Ｌを、１回の遊技開始のために必要な遊技メダルの最大投入数である３枚に設定し、かかる最大投入数である３枚を、自動投入手段140による遊技開始用の遊技メダルの自動投入数に設定する。そして、かかる最大投入枚数の３枚を、自動投入手段140によるクレジット数Ｐに加算用の遊技メダルの自動投入数に設定しても良いものである。そして、限界クレジット数Ｎを８枚に設定し、投入皿231に遊技メダルが貯留されている状態での経路中保留数Ｍが５枚となるように設定する。このように設定すると、遊技者が、最大投入枚数の３枚の遊技メダルにより連続して遊技を行うような場合に便利なものとなる。更に、具体的には、クレジット数Ｐとして、最大クレジット数Ｌである３枚の遊技メダルがクレジットされているような場合、クレジット数Ｐは３となる。そして、遊技者がベットスイッチ16を使用して、最大投入枚数の３枚を、遊技開始のための遊技メダルとして遊技機内部に投入する。このとき、クレジット数Ｐは０となる。そして、自動投入手段140が、移送経路130の内部から３枚の遊技メダルを、クレジット数Ｐに加算用の遊技メダルとして、クレジットに投入する。このとき、クレジット数Ｐは３となる。そして、遊技者が、次の遊技で、ベットスイッチ16を操作して、クレジットされた遊技メダルから最大投入枚数の３枚の遊技メダルを、遊技開始用の遊技メダルとして、遊技機内部に投入する。このとき、クレジット数Ｐは０となる。以後、この動作を、繰り返すことができるものである。すなわち、最大投入枚数である３枚の遊技メダルを、ベットスイッチ16を用いて投入すると、自動投入手段140から３枚の遊技メダルが、毎回、クレジットへ補充されるものである。すなわち、３個の遊技メダルをベットスイッチ16を用いて遊技開始用の遊技メダルとして投入すると、遊技間に自動投入手段140から、それと同数の３個の遊技メダルが、毎回、クレジットへ補充される。これにより、遊技者は、クレジット数Ｐへの遊技メダルの補填を、自動投入手段140により簡単に行うことができ、遊技者による遊技メダルの投入操作を簡単なものにすることができる。また、遊技者が、かかる最大投入数で連続して遊技を行いたい場合、メダル投入数を遊技者自ら何らかの操作を行って特に選択する必要がなく、遊技を簡単に進めることができる。
【０１４７】
ところで、上述したような本願発明は、スロットマシン以外の遊技機にも利用可能である。例えば、遊技媒体としてパチンコ球等の遊技球を用いてスロットマシンと同様の遊技を行わせる、いわゆるパロットに用いることができる。
図１６は、かかるパロットの外観正面図である。
図１６に示す遊技機は、遊技媒体として、円板状の遊技メダルではなく、パチンコ等に使用されている球状の遊技球を使用する遊技機、いわゆるパロットPであることに特徴を有するものである。そして、その他の特徴は、上述したスロットマシンで説明したものと同様の構成を有しているものである。ここで、パロットPとは、パチンコ玉としても使用可能な球状の金属球である遊技球を用いて、スロットマシンと同様の遊技を行わせる遊技機である。
【０１４８】
本実施の形態におけるパロットPは、図１６に示すように、筐体11の正面に回転リール40の図柄を視認可能な図柄表示窓13が形成されてある。そして、この図柄表示窓13の下方であってパロットPの略中央部は、スタートスイッチ30やストップスイッチ50等の操作手段が設けられた操作部441が形成されている。この操作部441の上部には、遊技の結果、入賞により遊技球が払い出される媒体排出口431と、パロットP内部へ投入するための遊技球を一時貯留しておくための全体形状が略箱状の上皿430が設けられている。また、筐体11の下部に上皿430に貯留された遊技球を落下移動させて貯留しておくための払い出し皿143としての下皿440が形成されている。なお、特に図示していないが、遊技者の操作により、上皿430に貯留した遊技球を、遊技機内部を通って下皿排出口432から下皿440へ移動させることができるように形成されてあり、また、上皿430が遊技球で一杯になり、媒体排出口431からの遊技球が上皿430へ払い出されないような場合には、かかる払い出しの遊技球は、途中の通路から溢れて、下皿排出口432を介して下皿440へ払い出されるように形成されている。
【０１４９】
そして、上皿430に遊技球を入れると、この遊技球は、上皿430の底部に設けられパロットP内部に連通する媒体投入口420に転がって移動する。この媒体投入口420は、第一の実施の形態で説明したメダル投入口18に相当するものである。そして、操作部441のベットスイッチ16を操作すると、媒体投入口420から遊技球が所定の個数だけ投入され、遊技が開始可能となる。そこで、スタートスイッチ30の操作により回転リール40を回転させ、ストップスイッチ50の操作により回転リール40を停止させる。このとき、複数の回転リール40に表示された図柄が所定の位置態様に停止すると入賞となり、所定の個数の遊技球が媒体排出口431から払い出されるように形成されているものである。
【０１５０】
ここで、パロットPの筐体11は、正面と背面とが開口する枠部材であり、遊技場のいわゆる島と呼ばれる設備に並列して固定されているものである。島の内部には、特に図示しないが、入賞した際に払い出すための入賞玉を供給したり、投入玉を吸引する玉循環装置が設けられてあり、筐体11と筐体11との間には、媒体貸し出し機が設置されている。媒体貸し出し機は、紙幣投入口から紙幣を投入すると、この金銭と引き替えに、遊技球を貸し出すものである。
この遊技機SとしてのパロットPは、最大クレジット数までの遊技媒体をクレジット可能に形成されているとともに、ベットスイッチ16の操作により、クレジットした遊技媒体を投入した遊技媒体に代えることができるように形成されている。
【０１５１】
なお、当該パロットPでは、上述したスロットマシンにおける実施の形態で説明した遊技メダルの投入や、払い出しにおける遊技メダル１枚が、パチンコ玉としても使用可能な当該遊技球の５個に相当するように形成されている。
上述したように、遊技媒体として、スロットマシンにおける実施の形態で使用した円板状の遊技メダルではなく、遊技媒体としてパチンコ遊技機等で使用する球状の金属球からなる遊技球を使用し、かかる遊技球は、遊技メダル１枚の価値に対して、遊技球５個の価値に相当することや、遊技球を使用するがための遊技機の構造上の若干の違いを除いて、その他の基本的な構成は、上述したスロットマシンにおける実施の形態において説明したものと同様である。本実施の形態におけるパロットPも、スロットマシンにおける実施の形態で説明したものと、同様の作用を有し、同様の効果を有するものである。ただ、遊技媒体が、円板状の遊技メダルから、パチンコ機等に使用される球状の遊技球であることから、それに適応すべく形成されているものである。
【０１５２】
構造上の具体的な違いを簡単に説明すると、スロットマシンの実施の形態で遊技メダルを立設させるためのメダル立設装置235の代わりに、球状の遊技球が通過可能な球通路470が形成されている。そして、下皿440内部の遊技球を送り出す下部送り出し円板460によって送り出された遊技球は、この球通路470を経ることで、上昇装置220の螺旋状の内部へ供給されるものである。
また、かかるメダル立設装置235以外に関して、本願発明の明細書や、図面において、上述したスロットマシンにおける実施の形態で使用している名称のうち、「メダル」の文字が使用されているものは、このパロットにおける実施の形態では、「媒体」の文字に入れ替えて使用するものである。具体的には、上昇メダル排出口210の代わりに、上昇媒体排出口として使用し、メダル投入口18の代わりに、媒体投入口420として使用し、メダルセレクター148の代わりに、媒体セレクター等として使用するものである。
【０１５３】
また、図１０や図１２や図１４や図１５等で使用しているＭ（経路中保留数）、Ｐ（クレジット数）、Ｑ（合計クレジット数）、Ｌ（最大クレジット数）等の数値の説明も、遊技メダル１枚の価値に対して、遊技球５個の価値に相当するように換算して使用するものである。もちろん、この換算率は、他の倍率に適宜変更することも可能である。なお、図１５のステップ８０６では、パロットPでは、経路中保留の遊技球から５個投入して、Ｐ＋５→Ｐとなるものである。すなわち、移送経路130中に保留されている遊技球から５個、自動投入手段140により、メダル投入口18へ投入される。これにより、現在のクレジット数Ｐに５が加算され、（Ｐ＋５）個の数値が、現在の新たなクレジット数Ｐとして認識される。このように、スロットマシンで説明した他の箇所も遊技メダル１枚に対して、パロットPでは、遊技球５個の割合で全て換算される。
【図面の簡単な説明】
【０１５４】
【図１】本発明の実施の形態であって、遊技機の遊技メダルの流れを示すブロック図である。
【図２】本発明の実施の形態であって、遊技機の入力、制御及び出力を示すブロック図である。
【図３】本発明の実施の形態であって、当選抽選手段を示すブロック図である。
【図４】本発明の実施の形態であって、遊技機を示す外観正面図である。
【図５】本発明の実施の形態であって、遊技機を示す外観斜視図である。
【図６】本発明の実施の形態であって、払い出し皿及び投入皿を示す縦断面図である。
【図７】本発明の実施の形態であって、下部送り出し円板が遊技メダルを送出する状態を示す概略平面図である。
【図８】本発明の実施の形態であって、メダル立設装置により遊技メダルが立設する状態を示す概略平面図である。
【図９】本発明の実施の形態であって、上昇装置を示す概略横断面図である。
【図１０】本発明の実施の形態であって、遊技機の通常遊技の動作の概略を示すフローである。
【図１１】本発明の実施の形態であって、遊技開始の条件としての遊技メダルの投入処理を示すフローである。
【図１２】本発明の実施の形態であって、経路中保留数Ｍ、クレジット数Ｐ、合計クレジット数Ｑ及び最大クレジット数Ｌの算出処理を示すフローである。
【図１３】本発明の実施の形態であって、当選抽選処理を示すフローである。
【図１４】本発明の実施の形態であって、連続した複数回の遊技を示すフローである。
【図１５】本発明の実施の形態であって、クレジット数Ｐに加算用の遊技メダルの投入処理を示すフローである。
【図１６】本発明の実施の形態であって、パロットを示す外観正面図である。
【符号の説明】
【０１５５】
10  遊技機                          11  筐体
12  表示窓                          13  図柄表示窓
14  前扉                            15  投入スイッチ
16  ベットスイッチ                  17  精算スイッチ
18  メダル投入口                    19  １枚ベットスイッチ
20  制御装置                        21  遊技制御装置
22  演出制御装置                    23  遊技制御手段
25  入賞演出データ記憶手段          26  入賞演出制御手段
30  スタートスイッチ                40  回転リール
41  図柄変動表示手段                42  リールテープ
43  左側回転リール                  44  中央回転リール
45  右側回転リール                  46  経路中保留数表示装置
47  合計クレジット数表示装置        48  クレジット数表示装置
49  最大クレジット数表示装置        50  ストップスイッチ
60  リールユニット                  61  図柄
65  貯留払い出し手段                66  報知装置
67  スピーカ                        69  報知ランプ
70  前パネル                        110  当選抽選手段
111  当選乱数発生手段              112  当選乱数抽出手段
113  当選判定テーブル              114  当選判定手段
120  クレジット数演算手段          121  合計クレジット数算出手段
122  限界クレジット数記憶手段      123  最大クレジット数算出手段
130  移送経路                      140  自動投入手段
141  自動投入スイッチ              143  払い出し皿
144  鍵穴                          145  下部払い出し排出口
148  メダルセレクター              150  経路中保留数計測手段
151  入り口センサー                152  出口センサー
160  操作記憶手段                  180  投入移送手段
181  投入移送傾斜通路              192  下部投入移送手段
193  下部投入移送傾斜通路          210  上昇メダル排出口
220  上昇装置                      221  筒部
222  回転軸部                      223  螺旋部
231  投入皿                        234  下部送り出し円板
235  メダル立設装置                236  メダル孔
237  ピン                          Ｍ  経路中保留数
Ｑ  合計クレジット数                Ｎ  限界クレジット数
Ｌ  最大クレジット数                Ｐ  クレジット数
420  媒体投入口                    430  上皿
431  媒体排出口                    432  下皿排出口
440  下皿                          441  操作部
460  下部送り出し円板              470  球通路
P  パロット
【図１】
2005066326.tif 000003
【図２】
2005066326.tif 000004
【図３】
2005066326.tif 000005
【図４】
2005066326.tif 000006
【図５】
2005066326.tif 000007
【図６】
2005066326.tif 000008
【図７】
2005066326.tif 000009
【図８】
2005066326.tif 000010
【図９】
2005066326.tif 000011
【図１０】
2005066326.tif 000012
【図１１】
2005066326.tif 000013
【図１２】
2005066326.tif 000014
【図１３】
2005066326.tif 000015
【図１４】
2005066326.tif 000016
【図１５】
2005066326.tif 000017
【図１６】
2005066326.tif 000018